(57)【要約】【課題】サイドエッジ型の導光部材を備えた光源モジュールにおける少なくとも光源の配設位置とは反対側の端部の輝度ムラを防止し、延いてはサイドエッジ型の導光部材を備えた光源モジュールを複数並べる場合の光源モジュール間の輝度ムラを防止し得る光源モジュール、照明モジュール及び照明機器を提供する。【解決手段】導光板（１０）の光入射側端部（１１）から入射した光の導光方向に対する光の到達側の光到達側端部（１３）には、光到達側端部（１３）に到達した光が全反射条件を破って導光板（１０）の外部に出射されて拡散用カバー（７Ａ）に到達する出射部（１３ｂ）と、光到達側端部（１３）に到達した光が導光板（１０）の外部に出射されるのを遮る遮光部（１３ａ）とが形成されている。出射部（１３ｂ）は、光出射面（１２）と遮光部（１３ａ）との間に配置されている。【選択図】図１
2014067688.tif 000002
【特許請求の範囲】
【請求項１】
光源と、該光源から出射された光を該光源が配設された少なくとも１辺の端部である光入射側端部から入光させかつ導光して表面の光出射面から外部へ出射する導光部材と、上記導光部材を覆う透光性を有するカバー部材とを備えた光源モジュールにおいて、
上記導光部材における上記光入射側端部から入射した光の導光方向に対する光の到達側であって上記光入射側端部に対向した端部である光到達側端部には、該光到達側端部に到達した光が全反射条件を破って該導光部材の外部に出射されて上記カバー部材に到達する出射部と、該光到達側端部に到達した光が導光部材の外部に出射されるのを遮る遮光部とが形成されており、
上記出射部は、上記光出射面と上記遮光部との間に配置されていることを特徴とする光源モジュール。
【請求項２】
前記カバー部材における、前記導光部材の光到達側端部側の端部には、該導光部材の光到達側端部の側方に延びるカバー部材光到達側傾斜面又はカバー部材光到達側曲面が形成されていることを特徴とする請求項１記載の光源モジュール。
【請求項３】
前記カバー部材のカバー部材光到達側傾斜面又はカバー部材光到達側曲面は、前記導光部材の光出射面とは反対側における導光部材裏面の延長面にまで延びて形成されていることを特徴とする請求項２記載の光源モジュール。
【請求項４】
前記導光部材における光到達側端部の出射部は、該光到達側端部の遮光部から光出射面に向けて傾斜面又は凸曲面にて面取りされてなっていることを特徴とする請求項１，２又は３記載の光源モジュール。
【請求項５】
前記光源が配設された導光部材の光入射側端部は、該導光部材の互いに対向する少なくとも一対の両端部に設けられており、
互いに対向する光入射側端部の光源の配設部は、対向する光源から入射した光に対して互いに前記遮光部として機能するものであり、
上記導光部材における上記遮光部として機能する各光源の配設部と前記光出射面との間には、前記出射部がそれぞれ形成されていることを特徴とする請求項１〜４のいずれか１項に記載の光源モジュール。
【請求項６】
前記光源が配設された導光部材の光入射側端部は、該導光部材の互いに対向する少なくとも一対の両端部のうちの１辺の端部のみに設けられており、
上記光入射側端部に対向する光到達側端部の遮光部は、該光到達側端部に到達した光を上記導光部材の光入射側に光を反射する反射部材を備えていることを特徴とする請求項１〜４のいずれか１項に記載の光源モジュール。
【請求項７】
前記導光部材の出射部は、該導光部材の光入射側端部における光源の配設部と前記光出射面との間の位置に前記反射部材によって光入射側に反射された光を、全反射条件を破って該導光部材の外部に出射することを特徴とする請求項６記載の光源モジュール。
【請求項８】
前記カバー部材における、前記導光部材の導光方向に沿う両側部には、カバー部材側部傾斜面又はカバー部材側部曲面が形成されていることを特徴とする請求項１〜７のいずれか１項に記載の光源モジュール。
【請求項９】
前記導光部材の光出射面とは反対側の裏面を保持する筺体と、該導光部材を該筺体に固定する固定部材とが設けられており、
上記固定部材は、上記導光部材における、前記光源が配設されていない辺の端部において、上記導光部材における光出射面の一部を上記筺体側に挟持することにより固定することを特徴する請求項１〜８のいずれか１項に記載の光源モジュール。
【請求項１０】
前記固定部材は、透明性を有していることを特徴とする請求項９記載の光源モジュール。
【請求項１１】
請求項１〜１０のいずれか１項に記載の光源モジュールを複数隣接して配列してなることを特徴とする照明モジュール。
【請求項１２】
請求項１〜１０のいずれか１項に記載の光源モジュール、又は請求項１１記載の照明モジュールを備えていることを特徴とする照明機器。
【発明の詳細な説明】
【技術分野】
【０００１】
本発明は、光源モジュール、該光源モジュールを複数備えた照明モジュール、及び該光源モジュール又は照明モジュールを備えた照明機器に関するものであり、詳細には、サイドエッジ型の導光板を備えた光源モジュールにおける光源の配設位置上面の輝度ムラ防止、延いてはサイドエッジ型の導光板を備えた光源モジュールを複数並べる場合の光源モジュール間の輝度ムラ防止に関する。
【背景技術】
【０００２】
従来、シーリングライト又は液晶ＴＶに使用される液晶表示装置等の照明機器において、薄型化を実現するために、光源から側面に入射された光を面状に出射させるサイドエッジ（サイドライト又はエッジライトともいう）型の導光板を備えた光学系が多用されている。また、サイドエッジ型の導光板は液晶表示装置の光源モジュールであるバックライトにも使用され、液晶表示装置の薄型化を実現している。
【０００３】
このようなサイドエッジ型の導光板では、該導光板の端面（以降、「入射端面」とも呼ぶ）に対向するようにＬＥＤ（Light Emitting Diode：発光ダイオード）等の光源を配置し、導光板の各入射端面から光を入射させる。入射された光は、該導光板の内部を反射しながら伝搬し、該導光板の光出射面から出射される。尚、一般的な構成であれば、光出射範囲は導光板の光出射面内に限られ、光源の配設位置上面からは光が出射されない。このため、光源配設位置上面は暗くなる。
【０００４】
また、サイドエッジ導光板を採用した液晶表示装置を使用する場合に、表示エリアが導光板寸法よりも大きいときには、光源の配設位置上面が暗くなるため、表示エリア内の端部に光の暗線を含む輝度ムラが発生するという問題が生じる。
【０００５】
ここで、光源の配設位置上面の暗部が生じない構成として、例えば、特許文献１に開示された光源モジュールとしての面光源装置が知られている。特許文献１に開示された面光源装置１００は、図２６に示すように、光源１０１からの入光面１１１よりも厚い導光板１１０を備えると共に、導光板１１０の端面における光源１０１の配設位置上面には傾斜面１１２を設け、さらに傾斜面１１２には反射膜１０２を配置している。これによって、光源１０１の配設位置上面にまで光を出射するようになっている。尚、導光板１１０の上面側に設けられた拡散板１０３は、曲面及び傾斜面の無い板形状となっている。
【０００６】
また、例えば、特許文献２に開示された照明装置２００では、図２７に示すように、ＬＥＤ２０１からの光を入射して上面の出射面２０２ａから出射する導光体２０２における、出射面２０２ａとは反対側の対向面２０２ｂに光を屈折又は反射させる反射面を有する反射構造２０３を形成している。また、ＬＥＤ２０１の発光面における垂直方向の高さを導光体２０２の入光面２０２ｃの垂直方向の高さよりも高くしている。さらに、導光体２０２の入光面２０２ｃの上側には、導光体傾斜面２０２ｄが形成されている。
【０００７】
これにより、プリズムシートを用いなくても、高輝度且つ輝度ムラのない照明装置２００を提供するものとなっている。
【０００８】
さらに、例えば、特許文献３に開示された表示装置３００では、図２８（ａ）（ｂ）に示すように、バックライト装置からの照明光を用いて情報を表示する表示装置３００において、複数の各発光領域には、発光ダイオード３０１と、発光ダイオード３０１からの光が入光される入光面３１１、及び入光面３１１から入光された光を対応する表示領域に発光する発光面３１２を有する導光板３１０が設けられ、導光板３１０には、隣接する発光領域との境界側の側面３１３・３１４・３１５に対して、入光面３１１から入光された光が外部に出射されるのを遮光する遮光枠３０２が設けられている。
【０００９】
これにより、複数の発光領域が設けられている場合でも、各発光領域からの照明光の発光品位が低下するのを防ぐことができる表示品位に優れた表示装置３００を提供するものとなっている。
【先行技術文献】
【特許文献】
【００１０】
【特許文献１】特開平８−１７９１３２号公報（１９９６年７月１２日公開）
【特許文献２】特開２００８−４７４９０号公報（２００８年２月２８日公開）
【特許文献３】特開２０１０−２７６７８９号公報（２０１０年１２月９日公開）
【発明の概要】
【発明が解決しようとする課題】
【００１１】
しかしながら、上記従来の特許文献１に開示された面光源装置１００では、導光板１１０の一端面に２面分のカット加工が必要であると共に、導光板１１０の傾斜面１１２に反射膜１０２を設ける必要があるので、コストアップとなるという問題点を有している。
【００１２】
また、一般的なサイドエッジ型導光板を採用した光源モジュールの場合、光源の配設位置上面が暗くなるため、複数の光源モジュールを並べて配置したときに、光源モジュール間に暗線を含む輝度ムラが発生し、光源モジュールを光学的シームレスに接続することができないという問題点を有している。
【００１３】
また、特許文献２の導光体２０２には導光体傾斜面２０２ｄが形成されているが、この導光体傾斜面２０２ｄは、導光体２０２の出射面２０２ａから出射する光を出射面２０２ａの前方の仮想焦点に集光させるためのものである。したがって、光源の配設位置近傍の輝度ムラ防止については考慮されていない。
【００１４】
さらに、特許文献３に開示された表示装置３００の遮光枠３０２は、該遮光枠３０２で覆われていない導光板３１０の側面から光を出射することにより隣接する２つの発光領域の境界部が暗線となることを防止するものである。したがって、特許文献３に開示された表示装置３００は、カバー部材を想定せずに、複数の導光板を複数配列した際の継ぎ目の輝度むらを軽減する技術であるといえる。また、特許文献３に開示された表示装置３００におけるバックライトは、側面から光を出射する構成ではないため、複数のバックライトを複数隣接して配列してもバックライトの継ぎ目の輝度むらを軽減することはできない。
【００１５】
本発明は、上記従来の問題点に鑑みなされたものであって、その目的は、サイドエッジ型の導光部材を備えた光源モジュールにおける少なくとも光源の配設位置とは反対側の端部の輝度ムラを防止し、延いてはサイドエッジ型の導光部材を備えた光源モジュールを複数並べる場合の光源モジュール間の輝度ムラを防止し得る光源モジュール、照明モジュール及び照明機器を提供することにある。
【課題を解決するための手段】
【００１６】
本発明の一態様の光源モジュールは、上記課題を解決するために、光源と、該光源から出射された光を該光源が配設された少なくとも１辺の端部である光入射側端部から入光させかつ導光して表面の光出射面から外部へ出射する導光部材と、上記導光部材を覆う透光性を有するカバー部材とを備えた光源モジュールにおいて、上記導光部材における上記光入射側端部から入射した光の導光方向に対する光の到達側であって上記光入射側端部に対向した端部である光到達側端部には、該光到達側端部に到達した光が全反射条件を破って該導光部材の外部に出射されて上記カバー部材に到達する出射部と、該光到達側端部に到達した光が導光部材の外部に出射されるのを遮る遮光部とが形成されており、上記出射部は、上記光出射面と上記遮光部との間に配置されていることを特徴としている。
【００１７】
本発明の一態様の照明モジュールは、前記記載の光源モジュールを複数隣接して配列してなることを特徴としている。
【００１８】
本発明の一態様の照明機器は、前記記載の光源モジュールを複数隣接して配列してなることを特徴としている。
【発明の効果】
【００１９】
本発明の一態様の光源モジュール、照明モジュール及び照明機器によれば、サイドエッジ型の導光部材を備えた光源モジュールにおける少なくとも光源の配設位置とは反対側の端部の輝度ムラを防止し、延いてはサイドエッジ型の導光部材を備えた光源モジュールを複数並べる場合の光源モジュール間の輝度ムラを防止し得る光源モジュール、照明モジュール及び照明機器を提供するという効果を奏する。
【図面の簡単な説明】
【００２０】
【図１】本発明の実施の形態１に係る光源モジュールを示すものであって、光源モジュールの構成を示す断面図である。
【図２】上記光源モジュールの構成を示す分解斜視図である。
【図３】（ａ）は上記光源モジュールの構成を示す平面図であり、（ｂ）は（ａ）のＡ−Ａ’線断面図であり、（ｃ）は（ａ）のＢ−Ｂ’線断面図である。
【図４】本発明の実施の形態２に係る光源モジュールを示すものであって、光源モジュールの構成を示す断面図である。
【図５】（ａ）は導光板の出射部が垂直出射部となっている場合の出射光路を示す断面図であり、（ｂ）は導光板の出射部が傾斜出射部となっている場合の出射光路を示す断面図である。
【図６】本発明の実施の形態３に係る光源モジュールを示すものであって、光源モジュールの構成を示す断面図である。
【図７】上記光源モジュールの構成を示す分解斜視図である。
【図８】（ａ）は導光板に傾斜面が存在しない場合において、カバー曲面を有しない拡散用カバーを備えた光源モジュールにおけるカバー垂直面からの光の出射光路を示す断面図であり、（ｂ）は導光板に傾斜面が存在しない場合において、カバー曲面を有する拡散用カバーを備えた光源モジュールにおけるカバー曲面からの光の出射光路を示す断面図であり、（ｃ）は導光板に傾斜面が存在する場合において、カバー曲面を有しない拡散用カバーを備えた光源モジュールにおけるカバー垂直面からの光の出射光路を示す断面図であり、（ｄ）は導光板に傾斜面が存在する場合において、カバー曲面を有する拡散用カバーを備えた光源モジュールにおけるカバー曲面からの光の出射光路を示す断面図である。
【図９】本発明の実施の形態４に係る光源モジュールを示すものであって、光源モジュールの構成を示す断面図である。
【図１０】（ａ）は上記光源モジュールの構成を示す平面図であり、（ｂ）は（ａ）のＡ−Ａ’線断面図であり、（ｃ）は（ａ）のＢ−Ｂ’線断面図である。
【図１１】本発明の実施の形態５に係る光源モジュールを示すものであって、光源モジュールの構成を示す断面図である。
【図１２】本発明の実施の形態６に係る光源モジュールを示すものであって、光源モジュールの構成を示す断面図である。
【図１３】上記光源モジュールの構成を示す分解斜視図である。
【図１４】（ａ）は上記光源モジュールの構成を示す平面図であり、（ｂ）は（ａ）のＡ−Ａ’線断面図であり、（ｃ）は（ａ）のＢ−Ｂ’線断面図である。
【図１５】上記光源モジュールの変形例を示すものであって、光源モジュールの構成を示す要部断面図である。
【図１６】本発明の実施の形態７に係る光源モジュールを示すものであって、光源モジュールの構成を示す断面図である。
【図１７】（ａ）は本発明の実施の形態８に係る光源モジュールを示すものであって、光源モジュールの構成を示す平面図であり、（ｂ）は（ａ）のＡ−Ａ’線断面図であり、（ｃ）は（ａ）のＢ−Ｂ’線断面図である。
【図１８】本発明の実施の形態９に係る光源モジュールを示すものであって、光源モジュールの構成を示す断面図である。
【図１９】（ａ）は上記光源モジュールの構成を示す平面図であり、（ｂ）は（ａ）のＡ−Ａ’線断面図であり、（ｃ）は（ａ）のＢ−Ｂ’線断面図である。
【図２０】（ａ）は上記光源モジュールの固定治具の構成を示す側面図であり、（ｂ）は上記固定治具にてこていされた導光板を示す断面図である。
【図２１】（ａ）は上記光源モジュールにおける導光板の輝度分布を示す平面図であり、（ｂ）は導光板の輝度分布を示す分布図である。
【図２２】（ａ）は本発明における実施の形態１０に係る光源モジュールを備えた照明モジュールを示すものであって、光源モジュールを複数並べた照明モジュールの構成を示す平面図であり、（ｂ）は（ａ）のＣ−Ｃ’線断面図であり、（ｃ）は（ａ）のＤ−Ｄ’線断面図である。
【図２３】（ａ）は上記照明モジュールの変形例を示すものであって、光源モジュールを複数並べた照明モジュールの構成を示す平面図であり、（ｂ）は（ａ）のＣ−Ｃ’線断面図であり、（ｃ）は（ａ）のＤ−Ｄ’線断面図である。
【図２４】（ａ）は導光板の厚みと光源幅とが同じであり、さらに導光板に傾斜面が存在せずかつカバー部材にカバー曲面が存在しない従来の照明モジュールの構成及び輝度分布を示す説明図であり、（ｂ）は導光板の厚みを光源幅よりも大きくして出射部を有すると共に、導光板に傾斜面が存在せずかつカバー部材にカバー曲面が存在しない本実施の形態の光源モジュールを組み合わせた照明モジュールの構成及び輝度分布を示す説明図であり、（ｃ）は導光板の厚みを光源幅よりも大きくして出射部を有すると共に、導光板に傾斜面が存在せずかつカバー部材にカバー曲面が存在する本実施の形態の光源モジュールを組み合わせた照明モジュールの構成及び輝度分布を示す説明図であり、（ｄ）は導光板の厚みを光源幅よりも大きくして傾斜出射部を有すると共に、導光板に傾斜面からなる傾斜出射部が存在しかつカバー部材にカバー曲面が存在しない本実施の形態の光源モジュールを組み合わせた照明モジュールの構成及び輝度分布を示す説明図であり、（ｅ）は導光板の厚みを光源幅よりも大きくして傾斜出射部を有すると共に、導光板に傾斜面からなる傾斜出射部が存在しかつカバー部材にカバー曲面が存在する本実施の形態の光源モジュールを組み合わせた照明モジュールの構成及び輝度分布を示す説明図である。
【図２５】（ａ）は、図２４（ａ）〜（ｅ）で示した様々な実施形態における横軸方向の輝度分布を示すグラフであり、（ｂ）は（ａ）の要部拡大図である。
【図２６】従来の光源モジュールの構成を示す断面図である。
【図２７】従来の他の光源モジュールの構成を示す断面図である。
【図２８】従来のさらに他の光源モジュールの構成を示す断面図である。
【発明を実施するための形態】
【００２１】
〔実施の形態１〕
本発明の一実施形態について図１〜図３に基づいて説明すれば、以下のとおりである。但し、本実施の形態に記載されている構成は、特に特定的な記載がない限り、この発明の範囲をそれのみに限定する趣旨ではなく、単なる説明例に過ぎない。
【００２２】
尚、本実施の形態においては、照明機器の一例として液晶ＴＶ等の液晶表示装置又はシーリングライトを挙げることができ、光源モジュールとして液晶表示装置のバックライトを挙げることができる。ただし、照明機器及び光源モジュールは、これに限定されるものではない。また、光源モジュールを複数個並べて配設したものを照明モジュールとする。
【００２３】
〔光源モジュールの構成〕
最初に、本実施の形態における光源モジュールの構成について、図１、図２及び図３（ａ）（ｂ）（ｃ）を参照して説明する。図１は本実施の形態における光源モジュールの構成を示す断面図である。図２は上記光源モジュールの構成を示す分解斜視図である。図３（ａ）は光源モジュールの構成を示す平面図であり、図３（ｂ）は図３（ａ）のＡ−Ａ’線断面図であり、図３（ｃ）は図３（ａ）のＢ−Ｂ’線断面図である。
【００２４】
本実施の形態の光源モジュール１Ａは、図１及び図２に示すように、シャーシ２、ＬＥＤ基板３、光源としてのＬＥＤ（Light Emitting Diode：発光ダイオード）群４、反射部材としてのリフレクタ５、反射シート６、カバー部材としての拡散用カバー７Ａ及び導光部材としての導光板１０を備えている。
【００２５】
上記光源モジュール１Ａでは、下から順に説明すると、シャーシ２、反射シート６、導光板１０、拡散用カバー７Ａが配置されており、導光板１０と拡散用カバー７Ａとの間には空気層が設けられている。ここで、本実施の形態の光源モジュール１Ａでは、導光板１０の発光面側を上側として説明するが、光源モジュール１Ａがシーリングライト等の照明機器に使用される場合には、下側が導光板１０の発光面側となる。
【００２６】
本実施の形態における光源モジュール１Ａの導光板１０の１辺の端面には、ＬＥＤ基板３、ＬＥＤ群４が設けられており、ＬＥＤ群４の上側（導光板厚み方向の発光面側）にリフレクタ５が設けられている。
【００２７】
本実施の形態では、導光板１０を方形とした場合に、導光板１０の対向する２辺又は全辺の端面から光が入射される構成を採用してもよい。尚、導光板１０の複数の辺に光源としてのＬＥＤ群４を配置する形態については後述する。
【００２８】
この結果、本実施の形態の光源モジュール１Ａは、光源から側面に入射された光を面状に出射させるサイドエッジ（サイドライト又はエッジライトともいう）型の導光板を備えた光源モジュール１Ａとなっている。すなわち、ＬＥＤ群４から導光板１０の側面に入射した光は、導光板１０の表面である光出射面１２と該光出射面１２とは反対側の裏面との間で全反射を繰り返しながら光入射側端部１１と対向する反対側の光到達側端部１３に向けて導光板１０中を導光されつつ、導光中に一部が全反射条件を破って光出射面１２から出射される。ここで、光出射面１２とは、導光板１０に対するＬＥＤ群４からの光入射方向つまり導光方向に対して全反射条件を満たすように形成された略平行な導光板１０の主面である。光出射面１２は、導光板１０中を導光する光に対して全反射条件を満たしているため、一般的に、導光板１０の光出射面１２に対する反対側の裏面又は導光中に導光板１０を導光する光の一部が光出射面１２で全反射条件を破って導光板１０の外部に出射されるように光を反射する手段である反射シート６を備えている。導光板１０の光出射面１２から出射された光はさらに導光板１０を覆う透明性を有する拡散用カバー７Ａにて散乱を受けたうえで光源モジュール１Ａから面状に出射される。
【００２９】
ここで、本実施の形態の光源モジュール１Ａでは、図３（ａ）（ｂ）（ｃ）に示すように、光源モジュール１ＡのＡ−Ａ’方向には導光板１０の１辺の端面に対向してＬＥＤ基板３及びＬＥＤ群４が配置されている。一方、導光板１０におけるＬＥＤ基板３が配置される側の光入射側端部１１とは反対側の光到達側端部１３は光出射面１２に対して切り立った平面となっている。そして、導光板１０におけるＬＥＤ群４とは反対側の光到達側端部１３の平面には導光板１０を導光する光を該導光板１０の外部に出射されないように遮蔽する遮光部１３ａと、導光板１０を導光する光を，全反射条件を破って該導光板１０の外部に出射する出射部１３ｂとが形成されている。
【００３０】
ここで、出射部１３ｂとは、導光板１０の内部を導光する光に対して全反射条件を満たさないように構成された該導光板１０の面を意味してしる。したがって、出射部１３ｂから導光板１０の外部に出射された光は、途中で遮蔽されることなく拡散用カバー７Ａの端部に到達し、拡散用カバー７Ａの端部で散乱を受けたうえで光源モジュール１Ａの外部に出射される。
【００３１】
また、遮光部１３ａとは、導光板１０の端部に到達した光が拡散用カバー７Ａに到達することを防止する機能を有するものであればどのような形態であってもよく、例えば、導光板１０の端面に対向して配置された光吸収性を有する遮蔽板、光反射性を有する反射板、又は導光板１０の端面に塗布された光吸収材料や光反射材料等が例として挙げられる。
【００３２】
導光板１０のＡ−Ａ’方向におけるＬＥＤ基板３が配設される側とは反対側の端部は、ＬＥＤ群４からの光が強い強度で到達する。このため、上記反対側の端部に到達した光が過度に外部に漏洩しないように、例えば遮蔽板からなる遮光部１３ａにて光を遮蔽する構造となっている。一方、ＬＥＤ群４とは反対側の端部平面のうち遮光部１３ａを除く部分には、遮蔽構造がない出射部１３ｂが形成されている。この結果、出射部１３ｂは、導光板１０における遮光部１３ａと光出射面１２との間に配置されたものとなっている。ここで、本実施の形態では、出射部１３ｂは、光出射面１２に対して垂直に垂下する垂直出射部１３ｂ１となっている。
【００３３】
上記出射部１３ｂは導光方向に対して全反射条件を破る角度となっているため、ＬＥＤ群４とは反対側の端部における出射部１３ｂに到達した光は、外部に出射される構造となっている。遮光部１３ａと出射部１３ｂとの面積比率は、輝度の均一性が高くなるような光出射量となるようにすることが望ましい。上記の構造によって、ＬＥＤ群４とは反対側の端部の輝度の均一性を向上させることができる。
【００３４】
一方、図３（ａ）（ｃ）に示すように、導光板１０のＢ−Ｂ’方向においては、導光板１０の端部側面が光出射面１２に対して垂直に切り立った構造となっており、光を遮蔽する構造は有していない。導光板１０におけるＢ−Ｂ’方向の端部に到達する光は、導光板１０におけるＡ−Ａ’方向のＬＥＤ群４とは反対側の端部に到達する光に比べて光量が遥かに小さい。この理由は、導光板１０のＢ−Ｂ’方向にはＬＥＤ群４が配置されておらず、導光板１０におけるＡ−Ａ’方向の光がＢ−Ｂ’方向に広がりをもって導光されることにより、ごく一部の光がＢ−Ｂ’方向の端部に到達するに限られるためである。したがって、導光板１０におけるＢ−Ｂ’方向には、遮蔽構造は有さずとも端部の輝度が過度に高くなることはない。導光板１０におけるＢ−Ｂ’方向の端部に到達した光は、端面から出射され、導光板１０におけるＢ−Ｂ’方向の端部の輝度均一性の向上に寄与する。
【００３５】
以下、光源モジュール１Ａに各構成要素について説明する。
【００３６】
（シャーシ）
シャーシ２は、光源モジュール１Ａを保護する筐体及び支持部材であり、図２に示すように、発光する面とは反対側から導光板１０及びＬＥＤ群４を覆うように設けられている。このシャーシ２は、ヒートシンクの機能を有している。
【００３７】
（ＬＥＤ基板、ＬＥＤ群）
ＬＥＤ基板３は、複数のＬＥＤを含むＬＥＤ群４を備えている。ＬＥＤ群４に含まれるＬＥＤは、ＬＥＤ基板３に互いに間隔を置いてそれぞれ配置されている。また、ＬＥＤ基板３は、図１に示すように、導光板１０の有する光入射側端部１１に対向して配置されている。
【００３８】
上記ＬＥＤ基板３に搭載されたＬＥＤ群４から出射された光は、導光板１０における光入射側端部１１の入光面１１ａに入射される。
【００３９】
上記ＬＥＤ基板３は、熱伝導が高い接着部材にてシャーシ２に固定する。ただし、ビスによる固定を採用してもよい。
【００４０】
尚、本実施の形態では、光源としてＬＥＤ群４を用いた場合を例に挙げて説明するが、本発明はこれに限定されるものではなく、例えば、光源として、蛍光管等のＬＥＤ群４以外の光源を用いる構成を採用してもよい。
【００４１】
（リフレクタ）
リフレクタ５はＬＥＤ基板３の上側（導光板厚み方向の発光面側）に配置されている。ＬＥＤ基板３の下側（導光板厚み方向のシャーシ２側）には反射シート６が配置されており、ＬＥＤ群４と導光板１０における光入射側端部１１の入光面１１ａとの間に形成される空間をリフレクタ５と反射シート６とで挟む構成となっている。
【００４２】
上記リフレクタ５は、ＬＥＤ群４から出射された光のうち、導光板１０における光入射側端部１１の入光面１１ａから外れた方向に出射された光を入光面１１ａに向けて反射することによりＬＥＤ群４から出射された光の導光板１０への入射率を向上させるように機能するようになっている。
【００４３】
この結果、リフレクタ５を配置することにより、ＬＥＤ群４からの光を導光板１０における光入射側端部１１の入光面１１ａへ効率良く入射させることができ、輝度向上等の効果が得られる。また、ＬＥＤ群４からの直接光が視認されないようにする機能も有している。尚、入光面１１ａ付近において光漏れが生じる場合には、リフレクタ５の代わりに吸収部材を配置してもよい。
【００４４】
このように、ＬＥＤ群４における導光板１０の光出射面１２側に、リフレクタ５が設けられていることが好ましい。これにより、ＬＥＤ群４からの光が効率良く導光板１０へ入射するため、入射効率の高い光源モジュール１Ａを提供することができる。
【００４５】
尚、本実施形態では、リフレクタ５として樹脂からなる反射シートを用いた場合を例に挙げて説明している。ただし、本発明はこれに限定されるものではなく、例えば、高反射ポリカーボネート等のプラスチック材料、アルミテープ又はアルミ等の金属材料を用いる構成を採用してもよい。
【００４６】
（反射シート）
反射シート６は、導光板１０の光出射面１２とは反対側の面に対向して配置され、該光出射面１２とはシャーシ２側に吸収されていた光を有効に利用できるため、光出射面１２から出射される光量を増やすことができる。これによって、反射シート６は、光源モジュール１Ａの輝度を向上させることができる。
【００４７】
反射シート６は、例えば、発泡ＰＥＴ（Polyethylene Terephthalate）等に代表されるポリエステルから形成されており、光の反射特性を有している。また、反射シート６は、導光板１０の裏面から漏れた光を反射して導光板１０内を透過させて光出射面１２側に光を反射させる機能を有している。
【００４８】
尚、反射シート６は、入射した光が正反射するシートであってもよいが、乱反射するシートを用いることがより好ましい。反射シート６は、入射した光が乱反射するシートを用いることによって、入射角と異なる角度の反射成分を含んで光を反射させることができる。
【００４９】
（導光板）
導光板１０は、光入射側端部１１の入光面１１ａにてＬＥＤ基板３に搭載されたＬＥＤ群４から出射される光を受光し、受光した光を光出射面１２と導光板１０の裏面との間、及び導光方向と平行方向の両側面の間において全反射させつつ導光板１０の内部で伝播させると共に、主に光出射面１２から出射させるものである。このため、導光板１０は、光透過性の高い透明材料からなり、例えば、ＰＭＭＡ（アクリル）、ＰＣ（ポリカーボネート）、及びＰＳ（ポリスチレン）等からなっている。
【００５０】
また、導光板１０は、本実施の形態では、板状で光出射面１２が四角形状となっている。ただし、本発明においては、必ずしもこれに限らず、例えば、導光板１０の光出射面１２の面形状が三角形又は五角形等の多角形を採用してもよい。
【００５１】
上記導光板１０の裏面には、図１に示すように、光拡散部である複数の光取り出しパターン１４が互いに間隔を置いて形成されている。尚、光取り出しパターン１４は、導光板１０の光出射面１２側に配置することも可能である。
【００５２】
光取り出しパターン１４は、例えば、光散乱微粒子をポリマー中に分散させ、その後、該ポリマーを導光板１０の裏面に印刷することにより形成されている。尚、光散乱粒子としては、例えば蛍光体を用いればよいが、これに限定されるものではない。
【００５３】
また、本実施の形態では、光拡散部として、導光板１０の裏面に印刷することにより光取り出しパターン１４を形成する構成を例に挙げて説明したが、本発明はこれに限定されるものではない。例えば、導光板１０の裏面にプリズム等の微細な凹凸形状を形成することによって光拡散部を形成する方法を採用してもよい。或いは、導光板１０の裏面にレーザー加工又はブラスト処理等を施すことによって光拡散部を形成する方法、又は導光板１０内に拡散材を混入させる方法を採用してもよい。
【００５４】
上記光取り出しパターン１４は、例えばドット状に形成されている。光取り出しパターン１４のドット径は、光入射側端部１１側から導光板１０の中央部に向かうに伴って大きくなるように形成されている。また、光取り出しパターン１４は、導光板１０の短手方向の中央を通過して導光板１０の導光方向に延びる仮想軸線に対して、対称となるように配置されている。
【００５５】
また、光取り出しパターン１４のドット径は、例えば、０．２ｍｍ以上１．５ｍｍ以下であることが好ましい。尚、本実施の形態では、光取り出しパターン１４がドット状に形成されている場合を例に挙げて説明したが、これに限定されるものではない。例えば、光取り出しパターン１４が線状、楕円状又は矩形状等の形状に形成されていてもよい。つまり、光取り出しパターン１４は、光を拡散する機能を有し、大きさ（長さ）によって拡散光量を調整できるように形成されていればよい。
【００５６】
上述のように導光板１０の裏面に光取り出しパターン１４を形成することにより、導光板１０内を伝播する光の光路を変更することができる。具体的には、光取り出しパターン１４は、導光板１０内を伝播する光が導光板１０の裏面に形成されている光取り出しパターン１４に入射すると、入射した光を拡散し、導光板１０内における光の進行方向を変える。この結果、光取り出しパターン１４で拡散された光の少なくとも一部は、光出射面１２で全反射せずに、光出射面１２から外部に出射されることになる。これによって、導光板１０は、輝度ムラなく光出射面１２から光を出射させることができる。
【００５７】
（拡散用カバー）
拡散用カバー７Ａは、導光板１０から出射する光量のムラつまり輝度ムラを抑制する機能を有している。また、本実施の形態では、拡散用カバー７Ａは、図１に示すように、導光板１０の出射部１３ｂと対向するように、垂直面からなるカバー垂直面７ａを有している。これにより、拡散用カバー７Ａは、カバー垂直面７ａの曲面に入射した光を屈折及び拡散させて光源モジュール１Ａ外へ出射する輝度ムラを抑制する機能を有している。
【００５８】
本実施の形態では、導光板１０と拡散用カバー７Ａとの間には空気層（空間）が設けられている。これにより、導光板１０から出射された光が空気層内で混ざり合い、拡散用カバー７Ａへと入射されるため、輝度ムラが生じ難くすることができる。例えば、導光板１０にゴミ又は埃が付着したり、導光板１０に傷が生じたりした場合、付着物や傷の部分から光が取出され、輝度ムラが発生してしまう。しかし、導光板１０の光出射面１２と拡散用カバー７Ａとの間に空気層を設けることによって、その輝度ムラが視認され難くなる。
【００５９】
したがって、品位が良く、信頼性の高い構造を有する光源モジュール１Ａを提供することができる。
【００６０】
尚、本実施の形態では、拡散用カバー７Ａは、厚さ２ｍｍの拡散板を例に挙げて説明するが、本発明はこれに限定されるものではない。すなわち、拡散用カバー７Ａは透過性と拡散性の機能を有しており、輝度ムラを抑制すればよいため、例えば、厚さ２ｍｍ以下のフィルムや布を採用してもよい。また、材質も、例えば、ＰＭＭＡ（アクリル）、ＰＣ（ポリカーボネート）、及びＰＳ（ポリスチレン）等を限定されずに使用することができる。
【００６１】
〔実施の形態２〕
本発明のさらに他の実施の形態について図４及び図５に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６２】
本実施の形態の光源モジュール１Ｂの構成について、図４に基づいて説明する。図４は本実施の形態の光源モジュール１Ｂの構成を示す断面図である。
【００６３】
前記実施の形態１の光源モジュール１Ａでは、導光板１０における出射部１３ｂは光到達側端部１３において、光出射面１２に対して垂直面からなる垂直出射部１３ｂ１として形成されていた。
【００６４】
これに対して、本実施の形態の光源モジュール１Ｂでは、図４に示すように、導光板１０における光到達側端部１３の出射部１３ｂは、傾斜面からなる傾斜出射部１３ｂ２として形成されている点が異なっている。
【００６５】
すなわち、本実施の形態の出射部１３ｂは、導光板１０の光出射面１２に対して鈍角をなして傾斜した傾斜面にて構成された傾斜出射部１３ｂ２となっている。尚、図４においては、出射部１３ｂを平面である傾斜面にて構成する傾斜出射部１３ｂ２の形態を例示しているが、必ずしもこれに限らず、平面に替えて曲面の形態をとることも可能である。出射部１３ｂを傾斜面からなる傾斜出射部１３ｂ２又は曲面の形状とすることにより広い出射角度にて導光板１０の外部に光を出射することができる。この結果、輝度分布の均一性を高めることができる。
【００６６】
このように、導光板１０の出射部１３ｂを傾斜出射部１３ｂ２とした場合の輝度均一性のための作用効果を図５（ａ）（ｂ）に基づいて説明する。図５（ａ）は導光板１０の出射部１３ｂが垂直出射部１３ｂ１となっている場合の出射光路を示す断面図であり、図５（ｂ）は導光板１０の出射部１３ｂが傾斜出射部１３ｂ２となっている場合の出射光路を示す断面図である。
【００６７】
まず、図５（ａ）に示すように、導光板１０の出射部１３ｂが垂直出射部１３ｂ１となっている場合には、導光板１０の前記光入射側端部１１から入射された光は、導光板１０の光閉じ込め効果によって、導光板１０の表面及び裏面での全反射を繰り返しながら該導光板１０を導光し、導光板１０の光入射側端部１１とは反対側の光到達側端部１３に到達した光のうち出射部１３ｂに入射した光が導光板１０の外部に出射される。このため、出射部１３ｂから導光板１０の外部に出射される光は、図５（ａ）において黒線で示すような角度分布を有する。この場合、図５（ａ）に示すように、導光板１０の出射部１３ｂに傾斜面を有さない形態においては、導光板１０から出射される光は光出射面１２に対して垂直に切り立った面から出射されるため、出射時の屈折によって出射角度が広がるような作用を受けることがない。この結果、導光板１０から外部に出射された光は、狭い出射角度で導光板１０の外部に出射され、このとき、出射部位が一カ所に集中するため、輝度分布が低下する。
【００６８】
これに対して、図５（ｂ）に示すように、導光板１０の出射部１３ｂが傾斜出射部１３ｂ２となっている場合には、導光板１０から出射される光は、光出射面１２に対して傾斜した傾斜出射部１３ｂ２から出射されるため、出射時の屈折によって出斜角度が広がるような作用を受ける。このため、導光板１０から外部に出射された光は広い出射角度で導光板１０の外部に出射され、出射部位が一カ所に集中することが無いため、輝度分布が向上する。このため、傾斜出射部１３ｂ２直上の暗部が解消される。
【００６９】
この結果、実施の形態１の光源モジュール１Ａと比較して、輝度ムラが改善される。ただし、光源モジュール１Ｂに隣接する光源モジュール１Ｂが存在する場合には、隣接する光源モジュール１Ｂの拡散用カバー７Ａでの反射によって、光源モジュール１Ｂ・１Ｂ間近傍がやや明るくなる。
【００７０】
〔実施の形態３〕
本発明の他の実施の形態について図６〜図８に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００７１】
本実施の形態の光源モジュール１Ｃの構成について、図６及び図７に基づいて説明する。図６は本実施の形態の光源モジュール１Ｃの構成を示す断面図であり、図７は上記光源モジュール１Ｃの構成を示す分解斜視図である。
【００７２】
前記実施の形態１の光源モジュール１Ａでは、導光板１０を覆うカバー部材としての拡散用カバー７Ａの端部は、導光板１０の光入射側端部１１及び光到達側端部１３のいずれもが平面板の縁部から、垂直に垂下するカバー垂直面７ａとなっていた。
【００７３】
これに対して、本実施の形態の光源モジュール１Ｃにおいては、図６及び図７に示すように、導光板１０の光到達側端部１３への対向部分が曲面になっている点が異なっている。
【００７４】
すなわち、前記実施の形態１の図１〜図３に示す光源モジュール１Ａにおいては、カバー部材としての拡散用カバー７Ａは、導光板１０の光出射面１２を覆う平面部分に対して、導光板１０の光到達側端部１３を覆う部分が垂直に切り立ったカバー垂直面７ａとなっていた。
【００７５】
しかしながら、この拡散用カバー７Ａの形状では、拡散用カバー７Ａにおける導光板１０の表面の平面部分である光出射面１２を覆う部分と導光板１０の光到達側端部１３を覆う部分との境界部において、拡散用カバー７Ａの曲率に非連続な部分が発生し、該境界部において光源モジュール１Ａの輝度の均一性が若干低下する問題がある。特に、導光板１０の光到達側端部１３の側面を、光出射面１２に対して垂直なカバー垂直面７ａにて形成すると、該カバー垂直面７ａの部分にて光が反射する成分によって、光出射面１２側から観測した際に、該カバー垂直面７ａに輝度が過度に高い部分が形成され、光源モジュール１Ａの輝度均一性が低下する。
【００７６】
そこで、本実施の形態の光源モジュール１Ｃでは、図６及び図７に示すように、カバー部材としての拡散用カバー７Ｂは、導光板１０の光到達側端部１３の近傍がカバー曲面７ｂとなっている。
【００７７】
これにより、拡散用カバー７Ｂは、導光板１０の光到達側端部１３をカバー曲面７ｂにて覆う構造となっているので、上記の問題が軽減でき、光源モジュール１Ｂの輝度の均一性を高めることができる。
【００７８】
本実施の形態の光源モジュール１Ｃにおけるカバー曲面７ｂを備えた拡散用カバー７Ｂの輝度均一性向上作用効果について、図８（ａ）（ｂ）（ｃ）（ｄ）に基づいて説明する。図８（ａ）は導光板に傾斜面が存在しない場合において、カバー曲面７ｂを有しない拡散用カバー７Ａを備えた光源モジュール１Ａにおけるカバー垂直面７ａからの光の出射光路を示す断面図であり、図８（ｂ）は導光板に傾斜面が存在しない場合において、カバー曲面７ｂを有する拡散用カバー７Ｂを備えた光源モジュール１Ｃにおけるカバー曲面７ｂからの光の出射光路を示す断面図であり、図８（ｃ）は導光板に傾斜面が存在する場合において、カバー曲面７ｂを有しない拡散用カバー７Ａを備えた光源モジュール１Ｂにおけるカバー垂直面７ａからの光の出射光路を示す断面図であり、図８（ｄ）は導光板に傾斜面が存在する場合において、カバー曲面７ｂを有する拡散用カバー７Ｂを備えた後述する光源モジュール１Ｄにおけるカバー曲面７ｂからの光の出射光路を示す断面図である。
【００７９】
図８（ａ）（ｃ）に示すように、拡散用カバー７Ａがカバー曲面７ｂを有さずに、光出射面１２に対して垂直に切り立ったカバー垂直面７ａを備えている場合、導光板１０から出射された光は、カバー垂直面７ａに投影され、カバー垂直面７ａで散乱されて光源モジュール１Ａ・１Ｄの外部に出射される。この場合、光源モジュール１Ａ・１Ｄの出射面側から観測すると、拡散用カバー７Ａの散乱部位がカバー垂直面７ａの出射側から観測した場合の面積が狭い部分に集中するため、カバー垂直面７ａでの輝度が高くなりすぎ、輝度の均一性が低下する。
【００８０】
これに対して、図８（ｂ）（ｄ）に示すように、拡散用カバー７Ｂがカバー曲面７ｂを有する場合、導光板１０から出射された光は出射面に対してなだらかに傾斜したカバー曲面７ｂに投影され、カバー曲面７ｂにて散乱されて光源モジュール１Ｃ・１Ｅの外部に出射される。この場合、光源モジュール１Ｃ・１Ｅの出射面側から観測すると、カバー曲面７ｂの散乱部位が該カバー曲面７ｂの出射側から観測した場合の面積が広い部分に分散するため、輝度の均一性を向上させることができる。
【００８１】
ここで、図８（ａ）（ｂ）（ｃ）（ｄ）においては、導光板１０の傾斜構造とカバー部材の曲面構造との組み合わせによる輝度分布の改善効果の程度を図示しているが、導光板１０傾斜構造とカバー部材の曲面構造との両方組み合わせる形態が最も輝度の均一性が高く、光源モジュールの品位が高い。すなわち、図８（ａ）、図８（ｂ）（ｃ）、図８（ｄ）の順位に輝度の均一性が高い。
【００８２】
尚、上述の説明では、拡散用カバー７Ｂは、導光板１０の光到達側端部１３をカバー曲面７ｂにて覆う構造となっているとして説明したが、必ずしもこれに限らず、例えば、カバー曲面７ｂに替えて、後述する図１５に示すように、カバー傾斜面７ｃとすることも可能である。すなわち、カバー傾斜面７ｃは、曲面ではなく、導光板１０の裏面の延長面に向けて傾斜して垂下する平面からなっている。
【００８３】
このように、拡散用カバー７Ｂの縁部をカバー傾斜面７ｃとする構造によっても、実施の形態１の光源モジュール１Ａにおける拡散用カバー７Ａの構成よりも、輝度の均一性を高めることができる。
【００８４】
〔実施の形態４〕
本発明のさらに他の実施の形態について図９及び図１０に基づいて説明すれば、以下のとおりである。尚、本実施の形態において説明すること以外の構成は、前記実施の形態１及び実施の形態２と同じである。また、説明の便宜上、前記の実施の形態１〜実施の形態３の図面に示した部材と同一の機能を有する部材については、同一の符号を付し、その説明を省略する。
【００８５】
本実施の形態の光源モジュール１Ｄの構成について、図９及び図１０（ａ）（ｂ）に基づいて説明する。図９は本実施の形態の光源モジュール１Ｄの構成を示す断面図である。図１０（ａ）は、光源モジュール１Ｄの構成を示す平面図であり、図１０（ｂ）は図１０（ａ）のＡ−Ａ´方向の断面図であり、図１０（ｃ）は図１０（ａ）のＢ−Ｂ´方向の断面図である。
【００８６】
本実施の形態の光源モジュール１Ｄでは、図９に示すように、前記実施の形態３にて説明した光源モジュール１Ｃにおけるカバー曲面７ｂを備えた拡散用カバー７Ｂと、前記実施の形態２にて説明した光源モジュール１Ｂにおける導光板１０の光到達側端部１３に設けられた傾斜出射部１３ｂ２からなる出射部１３ｂとを組み合わせた構成となっている。
【００８７】
このように、前記実施の形態２及び実施の形態３にて説明したカバー曲面７ｂを備えた拡散用カバー７Ｂと、出射部１３ｂとして、傾斜面からなる傾斜出射部１３ｂ２を備えた導光板１０とを組み合わせることにより、それぞれ単独構造での効果よりもさらに輝度分布の均一性を高めることができる。
【００８８】
また、本実施の形態の光源モジュール１Ｄでは、導光板１０の形状は、図１０（ａ）（ｂ）（ｃ）に示すように、Ａ-Ａ´方向における導光板１０のＬＥＤ群４の配設側とは反対側の光到達側端部１３において、導光板１０の角部を削除したような形状をしている。また、拡散用カバー７Ｂは、Ａ-Ａ´方向における導光板１０のＬＥＤ群４の配設側とは反対側の端部において、カバー曲面７ｂを有している。
【００８９】
〔実施の形態５〕
本発明のさらに他の実施の形態について図１１に基づいて説明すれば、以下のとおりである。尚、本実施の形態において説明すること以外の構成は、前記実施の形態１〜実施の形態４と同じである。また、説明の便宜上、前記の実施の形態１〜実施の形態４の図面に示した部材と同一の機能を有する部材については、同一の符号を付し、その説明を省略する。
【００９０】
本実施の形態の光源モジュール１Ｅの構成について、図１１に基づいて説明する。図１１は本実施の形態の光源モジュール１Ｅの構成を示す断面図である。
【００９１】
本実施の形態の光源モジュール１Ｅは、図１１に示すように、導光板１０の対向する一対の端部である光入射側端部１１及び光到達側端部１３に光源としてのＬＥＤ群４が配設され、かつ導光板１０の出射部１３ｂ・１３ｂも該導光板１０の対向する一対の端部である光入射側端部１１及び光到達側端部１３に形成されている。そして、上記出射部１３ｂ・１３ｂは、いずれも傾斜面からなる傾斜出射部１３ｂ２・１３ｂ２からなっている。
【００９２】
この結果、本実施の形態の光源モジュール１Ｅでは、図１１に示すように、導光板１０の厚さはＬＥＤ基板３の厚さに比べて大きくなっている。この理由は、光入射側端部１１に、導光板１０の厚さ方向に遮光部１３ａと出射部１３ｂとを形成するため、導光板１０の厚さは遮光部１３ａであるＬＥＤ基板３の厚さよりも少なくとも大きくする必要があるためである。
【００９３】
また、本実施の形態では、カバー部材は、拡散用カバー７Ａを採用している。この結果、拡散用カバー７Ａの両端部には、カバー垂直面７ａ・７ａがそれぞれ形成されている。
【００９４】
すなわち、対向する光源としてのＬＥＤ群４・４の一方のＬＥＤ群４に対して、他方のＬＥＤ群４におけるＬＥＤ基板３が遮光性を有するような形態である場合は、光源配置部を遮光部１３ａと見做すことができる。
【００９５】
上記構成の光源モジュール１Ｅにおいては、導光板１０の互いに対向する両辺に配設されたＬＥＤ群４・４から該導光板１０に光が入射すので、それぞれのＬＥＤ群４・４が、対向するＬＥＤ群４に対して互いに遮光部１３ａとして機能する。
【００９６】
また、本実施の形態では、ＬＥＤ群４の配設部と光出射面１２との間に、対向するＬＥＤ群４に対する出射部１３ｂとして傾斜された傾斜出射部１３ｂ２がそれぞれ形成されている。この結果、導光板１０における互いに対向する一方のＬＥＤ群４の配設側端部が他方のＬＥＤ群４に対して光到達側端部１３となる。このため、通常であれば光出射面１２が存在しないことにより暗部となるＬＥＤ群４の配置側端部の輝度の均一性低下についても改善することができる。尚、本実施の形態では、導光板１０の出射部１３ｂ・１３ｂは、傾斜面を有する傾斜出射部１３ｂ２・１３ｂ２となっているが、必ずしもこれに限らず、垂直面からなる垂直出射部１３ｂ１・１３ｂ１となっていてもよい。これによっても、垂直出射部１３ｂ１・１３ｂ１が存在しない場合よりも導光板１０延長部分であるＬＥＤ群４の配置側端部の暗部の輝度を高めることができる。
【００９７】
〔実施の形態６〕
本発明のさらに他の実施の形態について図１２〜図１５に基づいて説明すれば、以下のとおりである。尚、本実施の形態において説明すること以外の構成は、前記実施の形態１〜実施の形態５と同じである。また、説明の便宜上、前記の実施の形態１〜実施の形態５の図面に示した部材と同一の機能を有する部材については、同一の符号を付し、その説明を省略する。
【００９８】
本実施の形態の光源モジュール１Ｆの構成について、図１２、図１３及び図１４（ａ）（ｂ）（ｃ）に基づいて説明する。図１２は本実施の形態の光源モジュール１Ｆの構成を示す断面図である。図１３は上記光源モジュール１Ｆの構成を示す分解斜視図である。図１４（ａ）は、光源モジュール１Ｆの構成を示す平面図であり、図１４（ｂ）は図１４（ａ）のＡ−Ａ´方向の断面図であり、図１４（ｃ）は図１４（ａ）のＢ−Ｂ´方向の断面図である。
【００９９】
前記実施の形態５の光源モジュール１Ｅにおいてはカバー垂直面７ａ・７ａを有する拡散用カバー７Ａを用いていたのに対して、本実施の形態の光源モジュール１Ｆでは、図１２に示すように、両端部にカバー曲面７ｂ・７ｂを有する拡散用カバー７Ｃを用いている点が異なっている。
【０１００】
まず、本実施の形態の光源モジュール１Ｆにおいても、前記光源モジュール１Ｅと同様に、導光板１０の厚さはＬＥＤ基板３の厚さに比べて大きくなっている。この理由は、光入射側端部１１においても、導光板１０の厚さ方向に遮光部１３ａと出射部１３ｂとを形成するため、導光板１０の厚さは遮光部１３ａであるＬＥＤ基板３の厚さよりも少なくとも大きくする必要があるためである。
【０１０１】
また、本実施の形態の光源モジュール１Ｆは、図１２、図１３及び図１４（ａ）（ｂ）（ｃ）に示すように、導光板１０の対向する一対の端部に光源としてのＬＥＤ群４・４が配置される構成となっている。そして、導光板１０の出射部１３ｂ・１３ｂも、傾斜面からなる傾斜出射部１３ｂ２・１３ｂ２が光入射側端部１１及び光到達側端部１３の両方に形成されている。
【０１０２】
さらに、カバー部材は、両端部にカバー曲面７ｂ・７ｂを有する拡散用カバー７Ｃを採用している。
【０１０３】
すなわち、対向する光源としてのＬＥＤ群４・４の一方のＬＥＤ群４に対して、他方のＬＥＤ群４におけるＬＥＤ基板３が遮光性を有するような形態である場合は、光源配置部を遮光部１３ａと見做すことができる。
【０１０４】
このような構成であれば、導光板１０の対向する両辺に配設されたＬＥＤ群４・４から光が入射し、それぞれのＬＥＤ群４・４が、対向するＬＥＤ群４に対して互いに遮光部１３ａとして機能する。また、ＬＥＤ群４の配設部と光出射面１２との間に、対向するＬＥＤ群４に対する出射部１３ｂとして例えば傾斜出射部１３ｂ２が形成されることにより、対向する一方のＬＥＤ群４の配設側端部が他方のＬＥＤ群４に対して光到達側端部１３となるため、通常であれば光出射面１２がないために暗部となるＬＥＤ群４の配置側端部の輝度の均一性低下についても改善することができる。
【０１０５】
詳細には、以下の通りである。
【０１０６】
本実施の形態の光源モジュール１Ｆは、図１２に示すように、シャーシ２、ＬＥＤ基板３・３、光源としてのＬＥＤ（Light Emitting Diode：発光ダイオード）群４・４、反射部材としてのリフレクタ５・５、反射シート６、曲面を有したアーチ形状のカバー部材としての拡散用カバー７Ｃ及び導光部材としての導光板１０を備えている。
【０１０７】
上記光源モジュール１Ｆは、下から順に説明すると、シャーシ２、反射シート６、導光板１０、拡散用カバー７Ｃが配置されており、導光板１０と拡散用カバー７Ｃとの間には空気層が設けられている。ここで、本実施の形態の光源モジュール１Ｆでは、導光板１０の発光面側を上側として説明するが、光源モジュール１Ｆがシーリングライト等の照明機器に使用される場合には、下側が導光板１０の発光面側となる。
【０１０８】
本実施の形態における光源モジュール１Ｆの導光板１０の両側端面には、ＬＥＤ基板３・３、ＬＥＤ群４・４が設けられており、ＬＥＤ群４・４の上側（導光板厚み方向の発光面側）にリフレクタ５・５がそれぞれ設けられている。ただし、必ずしもこれに限らず、導光板１０の一側端面にのみＬＥＤ基板３、ＬＥＤ群４、リフレクタ５が設けられているものであってもよい（後述する光源モジュール１Ｇ参照）。或いは、導光板１０を方形とした場合に、導光板１０の全辺の端面から光が入射される構成を採用してもよい。例えば、方形の導光板１０における４辺の端面から光が入射される場合には、４つの端面のそれぞれから導光板１０の中心に向かうに伴って光取り出しパターン１４の面積を大きくすることによって、輝度のばらつきを抑制してもよい。
【０１０９】
この結果、本実施の形態の光源モジュール１Ｆは、光源から側面に入射された光を面状に出射させるサイドエッジ（サイドライト又はエッジライトともいう）型の導光板を備えた光源モジュール１Ｆとなっている。
【０１１０】
ここで、本実施の形態の光源モジュール１Ｆでは、図１４（ａ）（ｂ）（ｃ）に示すように、光源モジュール１ＦのＡ−Ａ’方向には導光板１０の傾斜出射部１３ｂ２・１３ｂ２と拡散用カバー７Ｃのカバー曲面７ｂ・７ｂとが設けられており、Ｂ−Ｂ’方向には導光板１０に傾斜出射部１３ｂ２・１３ｂ２が存在せず、かつカバー部材にカバー曲面７ｂ・７ｂが存在しない構造となっている。
【０１１１】
この結果、Ａ−Ａ’方向にはＬＥＤ群４・４が配置されており、ＬＥＤ群４・４の配設位置上面つまり導光板１０の厚み方向の光出射面１２側が暗くなるので、本実施の形態の光源モジュール１Ｆでは、導光板１０には傾斜出射部１３ｂ２・１３ｂ２を設け、かつ拡散用カバー７Ｃにはカバー曲面７ｂ・７ｂを設けている。
【０１１２】
一方、図１４（ａ）のＢ−Ｂ’方向にはＬＥＤ群４・４が配置されていないため、光源モジュール１Ｆ内の導光板１０間の距離を短くでき、Ｂ−Ｂ’方向における光源モジュール１Ｆの端部の輝度ムラは視認され難い。したがって、Ｂ−Ｂ’方向には導光板１０の傾斜出射部１３ｂ２・１３ｂ２と拡散用カバー７Ｃのカバー曲面７ｂ・７ｂとを設けていない。
【０１１３】
すなわち、光源モジュール１Ｆを単独で見た場合、導光板１０を用いた光源モジュール１Ｆにおいては、導光板１０の中央部分は平坦な光出射面１２から光が出射されるため高輝度となる。しかしながら、ＬＥＤ群４・４が配置された端部までは、通常、導光板１０を延ばすことができないため、光出射面１２のない暗部となる。
【０１１４】
そこで、本実施の形態の光源モジュール１Ｆでは、この問題を解決するために、図１４（ａ）（ｂ）（ｃ）に示すように、ＬＥＤ群４・４が配置された導光板１０の光出射面１２における端部に傾斜出射部１３ｂ２・１３ｂ２を形成している。これにより、導光板１０の端部の輝度を向上させると共に、導光板１０の傾斜出射部１３ｂ２・１３ｂ２に出斜された光の輝度分布をさらに改善するために、拡散用カバー７Ｃの該当部分つまり傾斜出射部１３ｂ２・１３ｂ２の対向位置にもカバー曲面７ｂ・７ｂを形成し、導光板１０の傾斜出射部１３ｂ２・１３ｂ２と拡散用カバー７Ｃのカバー曲面７ｂ・７ｂとによる２重の構造により輝度分布の改善を図るものとなっている。
【０１１５】
このような構造は、導光板に反射板等を配置するような従来の方法に比べて、導光板１０の端部の角を切り落として傾斜出射部１３ｂ２・１３ｂ２にするという極めて単純な構造で実現でき、導光板１０の傾斜出射部１３ｂ２・１３ｂ２単体では良好ではない輝度分布を拡散用カバー７Ｃのカバー曲面７ｂ・７ｂと組み合わせることにより改善することができ、全体としても極めて低コストで製造可能であり、かつ効果的な構造となっている。
【０１１６】
ここで、本実施の形態の光源モジュール１Ｆでは、両サイドエッジ方式を採用しているので、ＬＥＤ群４・４からの光の入光面１１ａ・１１ａと導光板１０の傾斜出射部１３ｂ２・１３ｂ２とを導光板１０の同一端面に設ける必要がある。このため、導光板１０の厚みは、ＬＥＤ群４・４における導光板厚み方向の寸法よりも大きくする必要がある。しかし、導光板１０の厚みを増すことにより、光源モジュール１Ｆの大型化、厚み増化及び重量増加となるため、導光板厚みは厚ければ厚い程良い訳ではない。
【０１１７】
そこで、本実施の形態では、導光板１０の厚みを、導光板厚み方向のＬＥＤ群４・４の寸法に対して例えば２００％としている。ただし、導光板１０の厚みを、導光板厚み方向の光源の寸法に対して１１０％〜２５０％で採用することが好ましい。
【０１１８】
本実施の形態では、前述したシャーシ２によって、ＬＥＤ基板３・３及び導光板１０における入光面１１ａ・１１ａの厚み方向の位置の関係が調整されている。また、導光板１０は、後述する固定治具１５によって、シャーシ２に固定されており、これによって、導光板１０とＬＥＤ基板３とのクリアランスが一定に保たれている。
【０１１９】
また、本実施の形態では、ＬＥＤ群４・４は、導光板１０の入光面１１ａ・１１ａに対向して配置され、傾斜出射部１３ｂ２・１３ｂ２は、ＬＥＤ群４・４よりも導光板１０の光出射面１２側に設けられている。このように、傾斜出射部１３ｂ２・１３ｂ２が、ＬＥＤ群４・４よりも光出射面１２側に配置された場合、傾斜出射部１３ｂ２・１３ｂ２からの出射光が遮られることなくカバー曲面７ｂ・７ｂに出射される。その結果、輝度ムラが生じ難くなると共に、ＬＥＤ基板３・３による光の吸収がないため、出射効率も向上する。
【０１２０】
したがって、輝度分布改善および出射効率を向上するためには、傾斜出射部１３ｂ２・１３ｂ２が、ＬＥＤ群４・４よりも導光板１０の光出射面１２側に設けられていることが好ましい。すなわち、拡散用カバー７Ｃ側を上側、シャーシ２側を下側とした場合、ＬＥＤ群４・４は、導光板１０の入光面１１ａ・１１ａに対向して配置されており、導光板１０の傾斜出射部１３ｂ２・１３ｂ２よりも下側（シャーシ２側）に配置されていることが好ましい。これにより、傾斜出射部１３ｂ２・１３ｂ２からの出射光を遮ることなく、拡散用カバー７Ｃのカバー曲面７ｂ・７ｂへ光を出射することができ、ＬＥＤ群４・４の上部が明るく、品位の良い光源モジュール１Ｆを提供することができる。
【０１２１】
上記構成の導光板１０では、導光板１０の傾斜出射部１３ｂ２・１３ｂ２から出射される光は、傾斜出射部１３ｂ２・１３ｂ２の角度を適切な角度にすることにより、カバー曲面７ｂ・７ｂと相俟って、リフレクタ５の上側及びＬＥＤ群４・４の背面側、つまりＬＥＤ群４・４の導光板１０への対向面とは反対側へ光を出射させ、カバー曲面７ｂ・７ｂを明るくすることができる。したがって、導光板１０の両端部の外側まで明るくすることができるので、導光板１０の端部における輝度ムラを低減することができる。ここで、本実施の形態では、傾斜出射部１３ｂ２・１３ｂ２の角度は、光出射面１２に対して鈍角となるようにしており、例えば１３５°となっている。
【０１２２】
また、本実施の形態の拡散用カバー７Ｃにおけるカバー曲面７ｂ・７ｂの断面形状は、ある曲率を有した円又は楕円形状で極値を有さない曲線であることが好ましい。つまり、曲率が０となる極値を持たない曲面からなっていることが好ましい。
【０１２３】
本実施の形態では、カバー曲面７ｂ・７ｂの形状として、楕円形状を採用し、導光板厚み方向の楕円内径を例えば１３ｍｍとし、導光板厚み方向に対して直交方向の楕円内径を８ｍｍとしている。
【０１２４】
尚、上記の説明では、導光板１０の出射部１３ｂ・１３ｂは、傾斜面を有する傾斜出射部１３ｂ２・１３ｂ２となっているが、必ずしもこれに限らず、垂直面からなる垂直出射部１３ｂ１・１３ｂ１となっていてもよい、
このように、図１２〜図１４に示す光源モジュール１Ｆにおいては、図６にて説明した実施の形態３における拡散用カバー７Ｂのカバー曲面７ｂの構造と、図４にて説明した実施の形態２における導光板１０の傾斜出射部１３ｂ２からなる出射部１３ｂの傾斜面構造とを両端に組み合わせた光源モジュールを示している。しかしながら、カバー部材と導光板１０の形状は、本図面の例に限定されるものではない。
【０１２５】
例えば、図１５に示すように、カバー部材としての拡散用カバー７Ｃの形状として、前記カバー曲面７ｂに替えて、カバー傾斜面７ｃとすることも可能である。このような断面形状が多角形のカバー傾斜面７ｃでは、拡散用カバー７Ｃにおけるカバー傾斜面７ｃの角部Ｃで輝度ムラが生じ易いが、許容される輝度ムラであれば足りるので、その範囲で断面形状が多角形のカバー傾斜面７ｃを採用してもよい。
【０１２６】
このように、本実施の形態の光源モジュール１Ｆでは、ＬＥＤ群４と、該ＬＥＤ群４から出射された光を該ＬＥＤ群４が配置された側端面の一部である入光面１１ａから入光させて導光して光出射面１２から外部へ出射する導光板１０と、導光板１０を覆う拡散用カバー７Ｃとを備えている。導光板１０の側端面には、入光面１１ａよりも光出射面１２側に、平面からなる光出射面１２に対して鈍角をなす傾斜出射部１３ｂ２・１３ｂ２が形成されており、拡散用カバー７Ｃは、傾斜出射部１３ｂ２・１３ｂ２近傍を覆うカバー曲面７ｂ・７ｂを有している。尚、拡散用カバー７Ｃにおける傾斜出射部１３ｂ２・１３ｂ２近傍とは、拡散用カバー７Ｃにおける傾斜出射部１３ｂ２・１３ｂ２から出射される光の照射範囲をいう。また、本構成を採用するには導光板１０における入光面１１ａの厚さよりも導光板１０の厚さを大きくする必要がある。
【０１２７】
したがって、サイドエッジ型の導光板１０を備えた光源モジュール１ＦにおけるＬＥＤ群４の配設位置近傍の輝度ムラ防止を図り得る光源モジュール１Ｆを提供することができる。
【０１２８】
また、本実施の形態の光源モジュール１Ｆでは、導光板１０は、ＬＥＤ群４・４が配設された互いに対向する少なくとも一対の側端面に傾斜出射部１３ｂ２・１３ｂ２をそれぞれ有していると共に、拡散用カバー７Ｃは、各傾斜出射部１３ｂ２・１３ｂ２近傍を覆うカバー曲面７ｂ・７ｂをそれぞれ有している。
【０１２９】
すなわち、光源モジュール１Ｆにおける導光板１０の端部での輝度低下が特に問題となるのは、ＬＥＤ群４・４が配置された側の端部である。このような、導光板１０におけるＬＥＤ群４・４が配置された側の端部では、ＬＥＤ群４・４の配設位置の幅に導光板１０が存在しないので、光出射面１２からの光がＬＥＤ群４・４の配設位置上面に届かず、輝度低下が発生するためである。
【０１３０】
そこで、本実施の形態では、導光板１０における少なくとも一対の両端部にＬＥＤ群４・４を対向配置し、その側端面に傾斜出射部１３ｂ２・１３ｂ２を形成し、かつ拡散用カバー７Ｃにカバー曲面７ｂ・７ｂを形成する構成となっている。この構成によって、ＬＥＤ群４・４を配置することによる輝度分布に死角が無くなり、ＬＥＤ群４・４の配設位置上面にまで均一な輝度分布を得ることができる。
【０１３１】
また、本実施の形態の光源モジュール１Ｆでは、拡散用カバー７Ｃのカバー曲面７ｂ・７ｂは、ＬＥＤ群４・４まで覆っている。
【０１３２】
これにより、拡散用カバー７ＣがＬＥＤ群４・４までを覆っており、かつ最も暗部となり易いＬＥＤ群４・４配設位置上面をカバー曲面７ｂ・７ｂにて覆う構成とすることによって、輝度分布の改善効果が大きくなる。
【０１３３】
また、本実施の形態の光源モジュール１Ｆでは、カバー曲面７ｂ・７ｂは、曲面からなっていることが好ましい。
【０１３４】
例えば、拡散用カバー７Ｃのカバー曲面７ｂ・７ｂが多角形であった場合には、多角形の角部において輝度ムラが発生する。しかしながら、カバー曲面７ｂ・７ｂが曲面となっている場合には角部が無いので、カバー曲面７ｂ・７ｂでの輝度ムラが生じ難い。
【０１３５】
すなわち、輝度分布を改善するには、カバー部材は平面よりも曲面で形成することが好ましい。
【０１３６】
また、本実施の形態の光源モジュール１Ｆでは、カバー曲面７ｂ・７ｂは、正の曲率から負の曲率へ変化する点を有しない曲面からなっていることが好ましい。
【０１３７】
すなわち、輝度分布を改善するには緩やかな曲面形状が望ましい。例えば、カバー曲面７ｂ・７ｂが、正の曲率から負の曲率へ変化する点を有する曲面となっている場合には、その変化する点において、明暗の輝度むらが発生してしまう。
【０１３８】
しかしながら、本実施の形態では、カバー曲面７ｂ・７ｂは、正の曲率から負の曲率へ変化する点を有しない曲面からなっているので、明暗の輝度むらを発生することなく、輝度分布を均一にすることができる。
【０１３９】
また、本実施の形態の光源モジュール１Ｆでは、カバー曲面７ｂ・７ｂは、拡散用カバー７Ｃの末端まで延びて形成されている。換言すると、カバー曲面７ｂ・７ｂ自体が拡散用カバー７Ｃの側面を成す構成となっている。この結果、光源モジュール１Ｆの端部での輝度分布低下をより好適に抑制することができる。
【０１４０】
また、本実施の形態の照明機器は、本実施の形態の光源モジュール１Ｆを備えている。これにより、サイドエッジ型の導光板１０を備えた光源モジュール１ＦにおけるＬＥＤ群４の配設位置近傍の輝度ムラ防止を図り得る光源モジュール１Ｆを備えた照明機器を提供することができる。
【０１４１】
〔実施の形態７〕
本発明のさらに他の実施の形態について図１６に基づいて説明すれば、以下のとおりである。尚、本実施の形態において説明すること以外の構成は、前記実施の形態１〜実施の形態６と同じである。また、説明の便宜上、前記の実施の形態１〜実施の形態６の図面に示した部材と同一の機能を有する部材については、同一の符号を付し、その説明を省略する。
【０１４２】
本実施の形態の光源モジュール１Ｇの構成について、図１６に基づいて説明する。図１６は本実施の形態の光源モジュール１Ｇの構成を示す断面図である。
【０１４３】
本実施の形態の光源モジュール１Ｇは、図１６に示すように、導光板１０の対向する一対の端部のうち片側に光源としてのＬＥＤ群４が配設されていると共に、ＬＥＤ群４が配設されない側の端部には反射部材８が配置されている構成となっている。
【０１４４】
また、カバー部材としての拡散用カバー７Ｃは、光入射側端部１１と光到達側端部１３との両方にカバー曲面７ｂ・７ｂが形成されたものとなっている。
【０１４５】
本実施の形態の光源モジュール１Ｇによれば、光到達側端部１３の遮光部１３ａが反射部材８により形成されているため、光到達側端部１３に到達した光を導光板１０における光入射側端部１１に光を反射する。この結果、遮光部１３ａにおける光の損失を低減し、光源モジュール１Ｇの輝度効率を向上させることができる。
【０１４６】
また、導光板１０は、光入射側端部１１におけるＬＥＤ群４の配設部と光出射面１２との間の位置に、上記反射部材８によって光入射側端部１１側に反射されてＬＥＤ群４側に戻された光が全反射条件を破って導光板１０の外部に出射される光入射側端部１１側の出射部１３ｂを有している。この出射部１３ｂは、例えば、傾斜面を有する傾斜出射部１３ｂ２となっている。
【０１４７】
このような構成であれば、互いに対向する少なくとも一対端部のうち１辺の端部のみにＬＥＤ群４が配設される構成であっても、光出射面１２がないために暗部となるＬＥＤ群４の配設側の端部の輝度の均一性低下を改善することができる。
【０１４８】
〔実施の形態８〕
本発明のさらに他の実施の形態について図１７に基づいて説明すれば、以下のとおりである。尚、本実施の形態において説明すること以外の構成は、前記実施の形態１〜実施の形態７と同じである。また、説明の便宜上、前記の実施の形態１〜実施の形態７の図面に示した部材と同一の機能を有する部材については、同一の符号を付し、その説明を省略する。
【０１４９】
本実施の形態に光源モジュール１Ｈの構成について、図１７（ａ）（ｂ）（ｃ）に基づいて説明する。図１７（ａ）は、本実施の形態の光源モジュール１Ｈの構成を示す平面図であり、図１７（ｂ）は図１７（ａ）のＡ−Ａ´方向の断面図であり、図１７（ｃ）は図１７（ａ）のＢ−Ｂ´方向の断面図である。
【０１５０】
本実施の形態の光源モジュール１Ｈは、図１７（ａ）（ｂ）（ｃ）に示すように、カバー部材としての拡散用カバー７Ｄにおける、導光板１０の導光方向に沿う両側部には、カバー部材側部曲面７ｄ・７ｄが形成されている。尚、カバー部材側部曲面７ｄ・７ｄは、必ずしもこれに限らず、傾斜面にて形成されたカバー部材側部傾斜面であってもよい。
【０１５１】
すなわち、図１２にて説明した実施の形態６の光源モジュール１Ｆにおいては、導光板１０の対向する一対の両端部である光入射側端部１１及び光到達側端部１３にＬＥＤ群４・４が配設され、かつカバー部材として該光入射側端部１１及び光到達側端部１３に対抗する部分にカバー曲面７ｂ・７ｂが形成された拡散用カバー７Ｃが設けられた構成となっていた。
【０１５２】
これに対して、本実施の形態の光源モジュール１Ｈでは、拡散用カバー７Ｄは、導光板１０におけるＬＥＤ群４が配設された側にカバー垂直面７ａ・７ａが形成されていると共に、導光板１０におけるＬＥＤ群４が配設された側の辺とは垂直な辺、つまりＬＥＤ群４が配設されない辺には、カバー部材側部曲面７ｄ・７ｄが形成されている。
【０１５３】
この光源モジュール１Ｈにおいては、ＬＥＤ群４から入射された一部の光は、ＬＥＤ群４からの入射方向に対して垂直方向の広がりをもって導光される。そして、ＬＥＤ群４が配設された光入射側端部１１に対して垂直な辺の端部に到達し、導光板１０の外部に出射される。
【０１５４】
このとき、本実施の形態の拡散用カバー７Ｄのようにカバー部材側部曲面７ｄ・７ｄが形成されていた場合には、ＬＥＤ群４が配設された光入射側端部１１に対して垂直な辺の端部に到達した光の一部から導光板１０の外部に出射された光がカバー部材側部曲面７ｄ・７ｄで均一化されるため、輝度分布を改善することができる。
【０１５５】
尚、図１７（ａ）（ｂ）（ｃ）においては、光入射側端部１１から光到達側端部１３への導光方向に対して平行な２辺側の側部のみにカバー部材側部曲面７ｄ・７ｄを設けているが、少なくとも上記２辺側の側部にカバー部材側部曲面７ｄ・７ｄが設けられていればよい。すなわち、上記２辺以外に光到達側端部１３をカバー曲面７ｂで構成してもよい。また、４辺全ての側部をカバー曲面７ｂ・７ｂ及びカバー部材側部曲面７ｄ・７ｄで構成してもよい。これにより、輝度分布をさらに改善することができる。
【０１５６】
さらに、図１７（ａ）（ｂ）（ｃ）においては、拡散用カバー７Ｄとして、上記２辺側の側部にカバー部材側部曲面７ｄ・７ｄが設けられている構成を示したが、必ずしもこれに限らず、曲面からなるカバー部材側部曲面７ｄに替えて、カバー部材側部傾斜面とすることも可能である。
【０１５７】
〔実施の形態９〕
本発明のさらに他の実施の形態について図１８〜図２１に基づいて説明すれば、以下のとおりである。尚、本実施の形態において説明すること以外の構成は、前記実施の形態１〜実施の形態８と同じである。また、説明の便宜上、前記の実施の形態１〜実施の形態８の図面に示した部材と同一の機能を有する部材については、同一の符号を付し、その説明を省略する。
【０１５８】
本実施の形態の光源モジュール１Ｊにおいては、導光板１０の固定方法について説明する。尚、本実施の形態の光源モジュール１Ｊでは、天井に固定されることを前提として説明する。
【０１５９】
本実施の形態に光源モジュール１Ｊの構成について、図１８及び図１９（ａ）（ｂ）（ｃ）に基づいて説明する。図１８は、本実施の形態の光源モジュール１Ｊの構成を示す断面図である。図１９（ａ）は、本実施の形態の光源モジュール１Ｊの構成を示す平面図であり、図１９（ｂ）は図１９（ａ）のＡ−Ａ´方向の断面図であり、図１９（ｃ）は図１９（ａ）のＢ−Ｂ´方向の断面図である。
【０１６０】
本実施の形態の光源モジュール１Ｊは、図１８及び図１９（ａ）（ｂ）（ｃ）に示すように、厚み方向が鉛直方向となるように配置されるため、拡散用カバー７Ｃ及び導光板１０が落下しないように固定する必要が生じる。
【０１６１】
このため、光源モジュール１Ｊでは、拡散用カバー７Ｃとシャーシ２とを接着するか又は拡散用カバー７Ｃとシャーシ２とを嵌め込むような構造とすることによって、固定する。シャーシ２は、天井面にねじ止めするか又は接着等で固定される。このようにすることによって、拡散用カバー７Ｃは天井面からの落下は防止できる。
【０１６２】
その他、ＬＥＤ基板３及びリフレクタ５もシャーシ２に接着されるか又は両面テープ若しくはねじ止め等で固定される。
【０１６３】
ここで、光源モジュール１Ｊの部材の中で導光板１０だけは他の部材とは固定方法が異なる。この理由は、導光板１０をシャーシ２に接着したり又はねじ止めしたりした場合、その影響で輝度むらが生じることになる。例えば、導光板１０をシャーシ２にねじ止めする場合、導光板１０に穴を開ける必要があるが、その穴の周囲が不自然に光ることになる。また、導光板１０を反射シート６に接着した場合、その接着部分から光が不自然に漏れることになり、やはり輝度の均一性が崩されることになる。特に、本実施の形態の光源モジュール１Ｊは、ＬＥＤ群４が配設される光入射側端部１１に対向する反対側の光到達側端部１３に到達した光の一部を出射部１３ｂから導光板１０の外部に出射する構造であるため、この光成分を遮蔽又は散乱するような部位に導光板１０を固定する構造を設けると、輝度分布の低下が著しい。
【０１６４】
そこで、本実施の形態における光源モジュール１Ｊでは、固定治具１５を用いて導光板１０をシャーシ２に固定している。固定治具１５は、導光板１０における、ＬＥＤ群４が配設される光入射側端部１１に直交する端部の端面に例えば４箇所に配置される。この構成により、光入射側端部１１から反対側の光到達側端部１３に導光されて出射部１３ｂから出射される光成分を乱すことがない。
【０１６５】
上記固定治具１５の構成について、図２０（ａ）（ｂ）に基づいて、詳細に説明する。図２０（ａ）は、固定治具１５の構成を示す側面図であり、図２０（ｂ）は、固定治具１５の導光板１０への固定状態を示す断面図である。
【０１６６】
図２０（ａ）（ｂ）に示すように、固定治具１５は、導光板１０を固定するための引っかかりである導光板固定部１５ａと、シャーシ２に固定治具１５自体を固定するためのシャーシ固定部１５ｂとを有しており、Ｓ字形状となっている。シャーシ固定部１５ｂには図示しない穴を設けて、シャーシ２にねじ止めするか又はシャーシ固定部１５ｂとシャーシ２とを接着することによって、シャーシ２と固定治具１５とを固定することができる。
【０１６７】
一方、導光板固定部１５ａは、導光板１０に引っかかるため、結果としてシャーシ２に導光板１０を固定することが可能となる。このとき、導光板１０自体には穴を開ける等の加工はしないため、導光板１０中を導光する光を乱すことはない。
【０１６８】
ところで、固定治具１５の導光板固定部１５ａは、導光板１０のＬＥＤ群４が配設される光入射側端部１１に直交する辺の端部側壁を一部遮蔽する構造となっている。このため、本実施の形態の光源モジュール１Ｊにおいては、入射された光の大部分は入射方向である、光入射側端部１１とは反対側の光到達側端部１３に向かって導光される一方、一部の光は入射方向に対して直交する方向に広がりをもって導光し、固定治具１５が配置される、ＬＥＤ群４が配設される光入射側端部１１に直交する端部に到達し、僅かな光が導光板１０の外部に出射される。このため、導光板固定部１５ａに透光性がない場合、その部分に若干の暗部が発生する。
【０１６９】
ここで、固定治具１５の導光板固定部１５ａが透光性を有している場合と透光性を有していない場合との輝度分布について、図２１（ａ）（ｂ）に基づいて説明する。図２１（ａ）は導光板１０の輝度分布を示す平面図であり、図２１（ｂ）は導光板１０の輝度分布を示す分布図である。
【０１７０】
図２１（ａ）に示すように、導光板１０に透光性を有する導光板固定部１５ａと透光性を有しない導光板固定部１５ａを取り付ける。透光性を有する導光板固定部１５ａは、例えばポリメチルメタアクリレート（ＰＭＭＡ）からなる透明の固定部材を使用している。一方、透光性を有しない導光板固定部１５ａは、例えばポリカーボネート樹脂からなる白色の固定部材を使用している。
【０１７１】
この結果、図２１（ａ）（ｂ）に示すように、透光性を有する導光板固定部１５ａを使用した領域ＴＹは、透光性を有しない導光板固定部１５ａを使用した領域ＴＮに比較して、輝度分布が均一であることが判る。すなわち、透光性を有する固定部材を用いることによって、さらに輝度の均一性が向上していることが判る。
【０１７２】
尚、上記の説明では、光源モジュール１Ｊとして、実施の形態６に示す光源モジュール１Ｆに固定治具１５を取り付ける構成について説明したが、固定治具１５を取り付ける光源モジュールは、光源モジュール１Ｆに限らず、光源モジュール１Ａ〜１Ｅ、１Ｇ〜１Ｈ、１Ｊに取り付けることも可能である。
【０１７３】
〔実施の形態１０〕
本発明のさらに他の実施の形態について図２２〜図２５に基づいて説明すれば、以下のとおりである。尚、本実施の形態において説明すること以外の構成は、前記実施の形態１〜実施の形態９と同じである。また、説明の便宜上、前記の実施の形態１〜実施の形態９の図面に示した部材と同一の機能を有する部材については、同一の符号を付し、その説明を省略する。
【０１７４】
本実施の形態では、前記実施の形態６の光源モジュール１Ｆを複数並べて配設した照明モジュールについて説明する。
【０１７５】
〔照明モジュールの構成〕
本実施の形態の照明モジュール２０の構成について、図２２（ａ）（ｂ）（ｃ）に基づいて説明する。図２２（ａ）は光源モジュールが４個２次元的に配列された照明モジュールの構成を示す平面図であり、図２２（ｂ）は図２２（ａ）のＣ−Ｃ’線断面図であり、図２２（ｃ）は図２２（ａ）のＤ−Ｄ’線断面図である。
【０１７６】
本実施の形態の照明モジュール２０は、図２２（ａ）（ｂ）（ｃ）に示すように、光源モジュール１Ｆが４個２次元的に配列つまり田の字配置に並べられている。そして、図２２（ｂ）に示すように、図２２（ａ）に示すＣ−Ｃ’方向には導光板１０に傾斜面からなる出射部１３ｂ・１３ｂが設けられ、かつ拡散用カバー７Ｃにカバー曲面７ｂ・７ｂが設けられている。一方、図２２（ｃ）に示すように、図２２（ａ）に示すＤ−Ｄ’方向には導光板１０に出射部１３ｂ・１３ｂが存在せず、かつ拡散用カバー７Ｃにカバー曲面７ｂ・７ｂが存在しないものとなっている。すなわち、本実施の形態の照明モジュール２０は、各光源モジュール１Ｆ・１Ｆにおける拡散用カバー７Ｃのカバー曲面７ｂ・７ｂ同士が対向するように配置されたものからなっている。各光源モジュール１Ｆ・１Ｆ間の隙間は０ｍｍ〜１ｍｍとなっている。
【０１７７】
尚、本実施の形態の照明モジュール２０では、４個の光源モジュール１Ｆを田の字配置した場合を例に挙げて説明しているが、本発明はこれに限定されるものではなく、例えば、必要に応じて、各光源モジュール１Ｆを一列に配置したり、４個以上の光源モジュール１Ｆを配設したりするものであってもよい。
【０１７８】
また、本実施の形態の照明モジュール２０では、光源モジュール１Ｆを並べて配置するときに、光源モジュール１Ｆ内のＬＥＤ群４・４側が向き合うように、つまり拡散用カバー７Ｃのカバー曲面７ｂ・７ｂが互いに向き合うように配置する場合を例に挙げて説明している。しかしながら、本発明においては、必ずしもこれに限らず、例えば、光源モジュール１Ｆ内のＬＥＤ群４が存在する辺とＬＥＤ群４が存在しない辺とが向き合うように、つまり拡散用カバー７Ｃのカバー曲面７ｂが存在す辺と該カバー曲面７ｂが存在しない側の辺とが向き合うように並べて配置する方法を採用してもよい。
【０１７９】
さらに、本実施の形態の照明モジュール２０では、複数の光源モジュール１Ｆを並べて配設したものとなっているが、必ずしもこれに限らず、光源モジュール１Ａ・１Ｂ・１Ｃ・１Ｄ・１Ｆ・１Ｈ・１Ｇ・１Ｊを複数個並べて配設したものであってもよい。例えば、図２３（ａ）（ｂ）（ｃ）は、光源モジュール１Ｇを４個２次元的に配列つまり田の字配置に並べた照明モジュール２０となっている。
【０１８０】
〔モジュールを並べて配置した場合の輝度ムラ〕
次に、本実施の形態における照明モジュール２０における光源モジュール間の輝度ムラの低減について、図２４（ａ）〜（ｅ）及び図２５（ａ）（ｂ）に基づいて説明する。図２４（ａ）は導光板の厚みと光源幅とが同じであり、さらに導光板に傾斜面が存在せずかつカバー部材にカバー曲面が存在しない従来の照明モジュールの構成及び輝度分布を示す説明図であり、図２４（ｂ）は導光板の厚みを光源幅よりも大きくして出射部を有すると共に、導光板に傾斜面が存在せずかつカバー部材にカバー曲面が存在しない本実施の形態の光源モジュールを組み合わせた照明モジュールの構成及び輝度分布を示す説明図であり、図２４（ｃ）は導光板の厚みを光源幅よりも大きくして出射部を有すると共に、導光板に傾斜面が存在せずかつカバー部材にカバー曲面が存在する本実施の形態の光源モジュールを組み合わせた照明モジュールの構成及び輝度分布を示す説明図であり、図２４（ｄ）は導光板の厚みを光源幅よりも大きくして傾斜出射部を有すると共に、導光板に傾斜面からなる傾斜出射部が存在しかつカバー部材にカバー曲面が存在しない光源モジュールを組み合わせた照明モジュールの構成及び輝度分布を示す説明図であり、図２４（ｅ）は導光板の厚みを光源幅よりも大きくして傾斜出射部を有すると共に、導光板に傾斜面からなる傾斜出射部が存在しかつカバー部材にカバー曲面が存在する光源モジュールを組み合わせた照明モジュールの構成及び輝度分布を示す説明図である。また、図２５（ａ）は、図２４（ａ）〜（ｅ）で示した様々な実施形態における横軸方向の輝度分布を示すグラフであり、図２５（ｂ）は図２５（ａ）の要部拡大図である。
【０１８１】
すなわち、図２４（ａ）〜（ｅ）は、種々の本実施の形態の光源モジュールを複数隣接させて配列した場合の構成図及び輝度分布の度合いを図示したものである。図２４（ａ）〜（ｅ）は、いずれも対向する一組の端辺に光源を配置する形態であり、光源が配列した１辺同士が隣接するように２つの光源モジュールを配列している。図２４（ａ）〜（ｅ）においては、黒の色調が強い部分ほど輝度が小さい暗部となっており、白の色調が強くなる部分ほど輝度が大きい明部をとなっている。
【０１８２】
まず、図２４（ａ）に示す従来の光源モジュールにおいては、導光板の厚みと光源幅とが同じであり、さらに導光板に傾斜面が存在せずかつカバー部材にカバー曲面が存在しないので、光源モジュールを並べて配置した際に、光源モジュール間が極端に暗くなり、輝度ムラとして視認される。
【０１８３】
具体的には、従来の光源モジュールを並べて配置した照明モジュールにおいては、導光板に傾斜面が存在せずかつカバー部材に傾斜面が存在しないので、図２４（ａ）に示すように、光出射面に対して直交方向の光角度成分が極端に多く、光源モジュールを並べて配置した際に、光源モジュール間が極端に明るくなり、輝度ムラとして視認される。また、拡散用カバーが箱形状であり、導光板の光出射面と平行な箱形状の拡散用カバーにおける、光入射側端部と平行な面に光が多く入射する。さらに、箱形状の拡散用カバーのリフレクタ直上部分は光の入射量が少なく、箱形状の拡散用カバーにおけるリフレクタ直上部分が暗くなり、輝度ムラとして視認される。したがって、従来例の照明モジュールにおいては、光源モジュール間で輝線と暗線とが生じ、輝度ムラとして視認される。
【０１８４】
これに対して、図２４（ｂ）〜（ｅ）に示す本実施の形態の光源モジュールを組み合わせた照明モジュール２０では、導光板１０に傾斜出射部１３ｂ２・１３ｂ２が存在し及び／又は拡散用カバー７Ｃにカバー曲面７ｂ・７ｂが存在する。この結果、出射光の光を曲げ、リフレクタ５の上側、ＬＥＤ基板３の背面側、及び拡散用カバー７Ｃのカバー曲面７ｂ・７ｂへ入射する光の角度成分を多くすることができる。また、拡散用カバー７Ｃがカバー曲面７ｂ・７ｂを有していることにより、カバー曲面７ｂ・７ｂへ入射した光の拡散、屈折及び反射を利用し、輝度ムラを抑制している。したがって、図２４（ｂ）〜（ｅ）に示す本実施の形態の光源モジュールでは、輝度分布の均一性が高くなっていることが判る。また、図２４（ｃ）〜（ｅ）に示す光源モジュールは、図２４（ｂ）に示す光源モジュールに比べて、カバー曲面７ｂを有する拡散用カバー７Ｃと導光板１０における出射部１３ｂの傾斜出射部１３ｂ２とのいずれか一方又はその両方の構造を組み合わせることによりさらに輝度分布の均一性が向上していることが判る。
【０１８５】
また、図２５（ａ）（ｂ）に示すように、図２４（ａ）〜（ｅ）に示す各光源モジュールを組み合わせた照明モジュール２０の輝度分布から判断すると、輝度値の最大値と最小値との差が小さい程、輝度の均一性が高いといえる。図２４（ａ）〜（ｅ）に示す各光源モジュールを組み合わせた照明モジュール２０の輝度分布においては、図２４（ａ）に示す従来の光源モジュールを組み合わせた照明モジュールが最も輝度の均一性が低く、続いて、図２４（ｂ）、図２４（ｃ）、図２４（ｄ）、図２４（ｅ）に示す本実施の形態の光源モジュールを組み合わせた照明モジュールの順に輝度の均一性が高くなっていることが判る。
【０１８６】
このように、本実施の形態の照明モジュール２０は、光源モジュール１Ａ〜１Ｈ、１Ｊを複数隣接して配列してなる。
【０１８７】
すなわち、サイドエッジ型の導光板１０を備えた光源モジュール１Ａ〜１Ｈ、１Ｊを複数個敷き詰めて並べて配設した場合には、特に、継ぎ目の部分に輝度低下が発生する。
【０１８８】
これに対して、本実施の形態の照明モジュール２０では、個々の光源モジュール１Ａ〜１Ｈ、１Ｊが、導光板１０の側端面には、入光面１１ａよりも光出射面１２側に、例えば、平面からなる該光出射面１２に対して鈍角をなす傾斜出射部１３ｂ２・１３ｂ２が形成されており、例えば、拡散用カバー７Ｃは、出射部１３ｂ・１３ｂ近傍を覆うカバー曲面７ｂ・７ｂを有している。
【０１８９】
この結果、カバー曲面７ｂ・７ｂによって、角部が無いことにより、カバー曲面７ｂ・７ｂでの輝度ムラが生じ難い。
【０１９０】
さらに、カバー曲面７ｂ・７ｂは、正の曲率から負の曲率へ変化する点を有しない凸曲面からなっているとすることによって、カバー曲面７ｂ・７ｂでの輝度ムラが生じ難い。
【０１９１】
したがって、サイドエッジ型の導光板１０を備えた光源モジュール１Ａ〜１Ｈ、１Ｊを複数並べる場合の光源モジュール１Ａ〜１Ｈ、１Ｊ間の輝度ムラ防止を図り得る光源モジュール１Ａ〜１Ｈ、１Ｊを複数備えた照明モジュール２０を提供することができる。
【０１９２】
また、本実施の形態の照明機器は、本実施の形態の照明モジュール２０を備えている。この結果、サイドエッジ型の導光板１０を備えた光源モジュール１Ａ〜１Ｈ、１Ｊを複数並べる場合の光源モジュール１Ａ〜１Ｈ、１Ｊ間の輝度ムラ防止を図り得る照明モジュール２０を備えた照明機器を提供することができる。
【０１９３】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１９４】
（まとめ）
本発明の一態様の光源モジュール１Ａ・１Ｂ・１Ｃ・１Ｄは、上記課題を解決するために、光源（ＬＥＤ群４）と、該光源（ＬＥＤ群４）から出射された光を該光源（ＬＥＤ群４）が配設された少なくとも１辺の端部である光入射側端部１１から入光させかつ導光して表面の光出射面１２から外部へ出射する導光部材（導光板１０）と、上記導光部材（導光板１０）を覆う透光性を有するカバー部材（拡散用カバー７Ａ・７Ｂ）とを備えた光源モジュール１Ａ・１Ｂ・１Ｃ・１Ｄにおいて、上記導光部材（導光板１０）における上記光入射側端部１１から入射した光の導光方向に対する光の到達側であって上記光入射側端部１１に対向した端部である光到達側端部１３には、該光到達側端部１３に到達した光が全反射条件を破って該導光部材（導光板１０）の外部に出射されて上記カバー部材（拡散用カバー７Ａ・７Ｂ）に到達する出射部１３ｂと、該光到達側端部１３に到達した光が導光部材（導光板１０）の外部に出射されるのを遮る遮光部１３ａとが形成されており、上記出射部１３ｂは、上記光出射面１２と上記遮光部１３ａとの間に配置されていることを特徴としている。
【０１９５】
従来の導光部材を用いた光源モジュールは、光源モジュールの中央部分は平面からなる出射面から光が出射されるので高輝度となる一方で、導光部材の端部、特に光源が配設される側の端部の反対側の端部においては、光出射面がない暗部となる問題がある。
【０１９６】
これに対して、本発明の一態様の光源モジュール１Ａ・１Ｂ・１Ｃ・１Ｄは、導光部材（導光板１０）における上記光入射側端部１１から入射した光の導光方向に対する光の到達側であって上記光入射側端部１１に対向した端部である光到達側端部１３には、該光到達側端部１３に到達した光が全反射条件を破って該導光部材（導光板１０）の外部に出射されて上記カバー部材（拡散用カバー７Ａ・７Ｂ）に到達する出射部１３ｂと、該光到達側端部１３に到達した光が導光部材（導光板１０）の外部に出射されるのを遮る遮光部１３ａとが形成されており、上記出射部１３ｂは、上記光出射面１２と上記遮光部１３ａとの間に配置されている。
【０１９７】
このため、光源（ＬＥＤ群４）から導光部材（導光板１０）に入射した光のうち光出射面１２からの出射により消費されずに光源（ＬＥＤ群４）が配設される側とは反対側の光到達側端部１３に到達した光成分の一部を該光到達側端部１３に設けられた出射部１３ｂから外部に出射する。これにより、上記の暗部の発生を解消する。また、光源（ＬＥＤ群４）が配置される側とは反対側の光到達側端部１３に到達した光の一部を外部に出射されないように遮光部１３ａにて遮蔽することによって該光到達側端部１３において輝度が過度に高くなることを防止し、かつ該光到達側端部１３から出射された光をカバー部材（拡散用カバー７Ａ・７Ｂ）にて拡散させて光源モジュール１Ａ・１Ｂ・１Ｃ・１Ｄの外部に出射させる。この結果、光源モジュール１Ａ・１Ｂ・１Ｃ・１Ｄの輝度の均一性を高めることができる。
【０１９８】
したがって、サイドエッジ型の導光部材（導光板１０）を備えた光源モジュール１Ａ・１Ｂ・１Ｃ・１Ｄにおける光源（ＬＥＤ群４）の配設位置近傍の輝度ムラを防止し得る光源モジュール１Ａ・１Ｂ・１Ｃ・１Ｄを提供することができる。
【０１９９】
（特許文献３との相違点）
本発明の光源モジュール１Ａ・１Ｂ・１Ｃ・１Ｄにおいて、導光部材（導光板１０）の光到達側端部１３に遮光部１３ａと出射部１３ｂとを設ける構造は一見して特許文献３の構造と類似しているが、下記のような違いがある。
【０２００】
特許文献３は、液晶表示装置のバックライトにおいて、液晶パネルの背面を複数の発光領域毎に導光板と光源とが組み合わされたユニットを複数配列して照明するものであって、導光板の遮光枠で覆われていない側面から光を出射することにより隣接する２つの発光領域の境界部が暗線となることを防止することを目的としている。すなわち、特許文献３は、カバー部材を想定せずに、複数の導光板を複数配列した際の継ぎ目の輝度むらを軽減する技術であるといえる。また、特許文献３は、液晶表示装置を想定していることから、本発明のようなカバー部材を想定しておらず、導光板の上面はカバー部材ではなく液晶パネルで覆われている。さらに、液晶表示装置はバックライトの上面である液晶パネル側のみに光を出射すればよく、一般的にバックライトの側面は光透過性を有さないフレームで覆われている。したがって、特許文献３のバックライトは側面から光を出射する構成ではないため、複数のバックライトを複数隣接して配列してもバックライトの継ぎ目の輝度むらを軽減することはできない。この結果、照明装置として使用する場合のサイズはフレームで覆われたバックライトのサイズに限定されてしまう。
【０２０１】
これに対して、本発明の光源モジュール１Ａ・１Ｂ・１Ｃ・１Ｄは、導光部材（導光板１０）が透明性を有するカバー部材（拡散用カバー７Ａ・７Ｂ）で覆われており、導光部材（導光板１０）の光到達側端部１３の出射部１３ｂから出射された光がカバー部材（拡散用カバー７Ａ・７Ｂ）の端部での散乱を介して光源モジュール１Ａ・１Ｂ・１Ｃ・１Ｄの外部に出射される。ここで、カバー部材（拡散用カバー７Ａ・７Ｂ）の端部は透光性を有しており、本構成によりカバー部材（拡散用カバー７Ａ・７Ｂ）の端部での輝度の低下を軽減できる。本発明は主として複数の光源モジュール１Ａ・１Ｂ・１Ｃ・１Ｄを各光源モジュール１Ａ・１Ｂ・１Ｃ・１Ｄのカバー部材（拡散用カバー７Ａ・７Ｂ）の端部同士が隣接するように複数配列することを想定しており、照明装置として使用する場合のサイズはカバー部材（拡散用カバー７Ａ・７Ｂ）で覆われたサイズに限定されず、複数の光源モジュール１Ａ・１Ｂ・１Ｃ・１Ｄを隣接して配列することにより、継ぎ目が目立たずに複数の光源モジュール１Ａ・１Ｂ・１Ｃ・１Ｄが組み合わされた大型の照明装置として利用することができる。
【０２０２】
本発明の一態様の光源モジュール１Ｃ・１Ｄ・１Ｆは、前記カバー部材（拡散用カバー７Ｂ・７Ｃ）における、前記導光部材（導光板１０）の光到達側端部１３の端部には、該導光部材（導光板１０）の光到達側端部１３の側方に延びるカバー部材光到達側傾斜面（カバー傾斜面７ｃ）又はカバー部材光到達側曲面（カバー曲面７ｂ）が形成されていることが好ましい。
【０２０３】
一般的なカバー部材は、導光部材の光出射面を覆う平面部分に対して、導光部材の端部側面を覆う部分が垂直に切り立った形状である。このため、カバー部材における導光部材の平面部分を覆う部分と導光板の側面を覆う部分との境界部でカバー部材の曲率が非連続な部分が発生し、該境界部で光源モジュールの輝度の均一性が若干低下する問題がある。特に、導光部材の光到達側端部の側面を光出射面に対して垂直な垂直面で形成すると、該垂直面の部分で光が反射する成分によって、光出射面側から観測した際に該垂直面部分に輝度が過度に高い部分が形成され、光源モジュールの輝度均一性が低下する。
【０２０４】
これに対して、本発明の一態様の光源モジュール１Ｃ・１Ｄ・１Ｆは、前記カバー部材（拡散用カバー７Ｂ・７Ｃ）における、前記導光部材（導光板１０）の光到達側端部１３には、該導光部材（導光板１０）の光到達側端部１３の側方に延びるカバー部材光到達側傾斜面（カバー傾斜面７ｃ）又はカバー部材光到達側曲面（カバー曲面７ｂ）が形成されている。
【０２０５】
したがって、導光部材（導光板１０）の光到達側端部１３の近傍をカバー部材（拡散用カバー７Ｂ・７Ｃ）のカバー部材光到達側傾斜面（カバー傾斜面７ｃ）又はカバー部材光到達側曲面（カバー曲面７ｂ）で覆う構造であるため、上記の問題が軽減でき、光源モジュール１Ｃ・１Ｄ・１Ｆの輝度の均一性を高めることができる。
【０２０６】
本発明の一態様の光源モジュール１Ｃ・１Ｄ・１Ｆは、前記カバー部材（拡散用カバー７Ｂ・７Ｃ）のカバー部材光到達側傾斜面（カバー傾斜面７ｃ）又はカバー部材光到達側曲面（カバー曲面７ｂ）は、前記導光部材（導光板１０）の光出射面１２とは反対側における導光部材（導光板１０）裏面の延長面にまで延びて形成されていることが好ましい。
【０２０７】
これにより、導光部材（導光板１０）の光到達側端部１３の側面部をカバー部材（拡散用カバー７Ｂ・７Ｃ）のカバー部材光到達側傾斜面（カバー傾斜面７ｃ）又はカバー部材光到達側曲面（カバー曲面７ｂ）にて覆う構造となる。すなわち、導光部材（導光板１０）の光出射面１２を覆うカバー部材（拡散用カバー７Ｂ・７Ｃ）の平面部との境界からカバー部材（拡散用カバー７Ｂ・７Ｃ）の末端までのカバー部材端部の全体をカバー部材光到達側傾斜面（カバー傾斜面７ｃ）又はカバー部材光到達側曲面（カバー曲面７ｂ）にて形成する。この結果、導光部材（導光板１０）の側面部での輝度均一性の改善効果を最大とすることができる。
【０２０８】
本発明の一態様の光源モジュール１Ｂ・１Ｄは、前記導光部材（導光板１０）における光到達側端部１３の出射部１３ｂは、該光到達側端部１３の遮光部１３ａから光出射面１２に向けて傾斜面（傾斜出射部１３ｂ２）又は凸曲面にて面取りされてなっていることが好ましい。
【０２０９】
これにより、導光部材（導光板１０）の出射部１３ｂから外部に向けて広い出射角度で出射され、出射光が一点に集中することによる輝度均一性の低下を改善し、輝度の均一性を高めることができる。
【０２１０】
本発明においては、導光部材（導光板１０）の互いに対向する一対の端部の両方に光源（ＬＥＤ群４）が配設され、互いに対向する光入射側端部１１における各光源（ＬＥＤ群４）は対向する光源（ＬＥＤ群４）から入射した光に対して互いに遮光部１３ａとして機能するものであって、該遮光部１３ａとして機能する各光源（ＬＥＤ群４）の配設部と上記光出射面１２との間に出射部１３ｂが形成される形態であってもよい。
【０２１１】
（特許文献２との相違点）
本実施の形態２の説明図である図４に記載した光源モジュール１Ｂの構造は見かけ上、図２７に示す特許文献２の導光体傾斜面２０２ｄと類似している。
【０２１２】
しかしながら、特許文献２の導光体傾斜面２０２ｄは、導光体２０２の出射面２０２ａの反対側の面の凹凸部からなる反射構造２０３にて導光体２０２の出射面側に散乱された光を出射面２０２ａから出射する際に、導光体傾斜面２０２ｄにより導光体２０２前方の中央方向に向けて光を屈折させることにより、導光体２０２の中央部への輝度を向上させるように機能するものであり、一般的には出射面について浅い角度を成すように形成されると考えられる。
【０２１３】
これに対して、本発明の光源モジュール１Ｂにおける導光部材（導光板１０）の傾斜面（傾斜出射部１３ｂ２ ）は、光源（ＬＥＤ群４）とは反対側の光到達側端部１３に到達した光が全反射を破って端部に向けて広い角度分布をもって出射されるように機能するものである。
【０２１４】
したがって、本発明の導光部材（導光板１０）の傾斜面（傾斜出射部１３ｂ２ ）は、導光部材（導光板１０）の光出射面１２に対する面内方向である導光方向に指向して該導光部材（導光板１０）に侵入した光が全反射条件を破って導光部材（導光板１０）の外部に出射されるように、光出射面１２に対して深い角度をなすように形成されている。
【０２１５】
このように、本発明の導光部材（導光板１０）の傾斜面（傾斜出射部１３ｂ２ ）と特許文献２の導光体傾斜面２０２ｄとは、目的や機能が大きく異なるものである。
【０２１６】
本発明の一態様の光源モジュール１Ｅ・１Ｆは、前記光源（ＬＥＤ群４）が配設された導光部材（導光板１０）の光入射側端部１１は、該導光部材（導光板１０）の互いに対向する少なくとも一対の両端部に設けられており、互いに対向する光入射側端部１１の光源（ＬＥＤ群４）の配設部は、対向する光源（ＬＥＤ群４）から入射した光に対して互いに前記遮光部１３ａとして機能するものであり、上記導光部材（導光板１０）における上記遮光部１３ａとして機能する各光源（ＬＥＤ群４）の配設部と前記光出射面１２との間には、前記出射部１３ｂがそれぞれ形成されていることが好ましい。
【０２１７】
これにより、導光部材（導光板１０）の対向する両辺に配設された光源（ＬＥＤ群４）から光が入射し、それぞれの光源（ＬＥＤ群４）が、対向する光源（ＬＥＤ群４）に対して互いに遮光部１３ａとして機能する。また、光源（ＬＥＤ群４）の配設部と光出射面１２との間に対向する光源（ＬＥＤ群４）に対する出射部１３ｂが形成されることにより、対向する一方の光入射側端部１１が他方の光源（ＬＥＤ群４）に対して光到達側端部１３となるため、通常であれば光出射面１２がないために暗部となる光入射側端部１１の輝度の均一性低下についても改善することができる。
【０２１８】
本発明の一態様の光源モジュール１Ｇは、前記光源（ＬＥＤ群４）が配設された導光部材（導光板１０）の光入射側端部１１は、該導光部材（導光板１０）の互いに対向する少なくとも一対の両端部のうちの１辺の端部のみに設けられており、上記光入射側端部１１に対向する光到達側端部１３の遮光部１３ａは、該光到達側端部１３に到達した光を上記導光部材（導光板１０）の光入射側に光を反射する反射部材８を備えているとすることができる。
【０２１９】
これにより、導光部材（導光板１０）の互いに対向する端部のうち１辺のみに光源（ＬＥＤ群４）が配設される形態において、遮光部１３ａが反射部材８により光到達側端部１３に到達した光を導光部材（導光板１０）における光入射側端部１１に反射するため、遮光部１３ａにおける光の損失を低減し、光源モジュール１Ｇの輝度効率を向上させることができる。
【０２２０】
この結果、互いに対向する少なくとも一対端部のうち１辺の端部のみに光源（ＬＥＤ群４）が配設されていてもよいことになる。
【０２２１】
本発明の一態様の光源モジュール１Ｇは、前記導光部材（導光板１０）の出射部１３ｂは、該導光部材（導光板１０）の光入射側端部１１における光源（ＬＥＤ群４）の配設部と前記光出射面１２との間の位置に前記反射部材８によって光入射側に反射された光を、全反射条件を破って該導光部材（導光板１０）の外部に出射することが可能である。
【０２２２】
これにより、導光部材（導光板１０）における、互いに対向する少なくとも一対の端部のうち１辺の端部のみに光源（ＬＥＤ群４）が配設される形態であっても、光出射面１２がないために暗部となる光入射側端部１１における輝度の均一性低下を改善することができる。
【０２２３】
本発明の一態様の光源モジュール１Ｈは、前記カバー部材（拡散用カバー７Ｃ）における、前記導光部材（導光板１０）の導光方向に沿う両側部には、カバー部材側部傾斜面又はカバー部材側部曲面７ｄが形成されていることが好ましい。
【０２２４】
一般的な光源モジュールは、光源が配設された光入射側端部とは反対側の光到達側端部だけでなく、光源が配設された光入射側端部に垂直な辺の端部についても光出射面がない暗部となる問題がある。
【０２２５】
これに対して、本発明の一態様の光源モジュール１Ｈは、前記カバー部材（拡散用カバー７Ｃ）における、前記導光部材（導光板１０）の導光方向に沿う両側部には、カバー部材側部傾斜面又はカバー部材側部曲面７ｄが形成されている。
【０２２６】
すなわち、光源（ＬＥＤ群４）から導光部材（導光板１０）に入射した光のうち光出射面１２からの出射により消費されなかった光成分は、大部分の光は、光源（ＬＥＤ群４）からの入射方向に沿って全反射しながら導光されて、光入射側端部１１とは反対側の光到達側端部１３に到達する。この場合、一部の光は、光源（ＬＥＤ群４）からの入射方向に対して垂直方向の広がりをもって導光されて、光源（ＬＥＤ群４）が配設された端部に対して垂直な辺の端部に到達する。
【０２２７】
この結果、導光部材（導光板１０）の導光方向に沿う両側部に、カバー部材側部傾斜面又はカバー部材側部曲面７ｄが形成されていれば、光源（ＬＥＤ群４）が配設された光入射側端部１１に対して垂直な辺の端部に到達した光の一部から導光部材（導光板１０）の外部に出射又は漏洩される光をカバー部材側部傾斜面又はカバー部材側部曲面７ｄにより拡散させた後、光源モジュール１Ｈの外部に出射する。
【０２２８】
したがって、光源（ＬＥＤ群４）が配設された光入射側端部１１とは反対側の光到達側端部１３以外の端部についても光源モジュール１Ｈの輝度均一性を向上させることができる。
【０２２９】
本発明の一態様の光源モジュール１Ｊは、前記導光部材（導光板１０）の光出射面１２とは反対側の裏面を保持する筺体（シャーシ２）と、該導光部材（導光板１０）を該筺体（シャーシ２）に固定する固定部材（固定治具１５）とが設けられており、上記固定部材（固定治具１５）は、上記導光部材（導光板１０）における、前記光源（ＬＥＤ群４）が配設されていない辺の端部において、上記導光部材（導光板１０）における光出射面１２の一部を上記筺体（シャーシ２）側に挟持することにより固定することが好ましい。
【０２３０】
これにより、光入射側端部１１及び光到達側端部１３を避けて導光部材（導光板１０）の固定部材（固定治具１５）を設けることができ、光源（ＬＥＤ群４）の輝度分布の低下を抑えつつ、導光部材（導光板１０）を筺体（シャーシ２）に固定することができる。
【０２３１】
したがって、建築物の天井面又は壁面に光源モジュール１Ｊを配置する場合であっても強固に導光部材（導光板１０）を保持すると共に、高い輝度分布の均一性を達成することができる。
【０２３２】
本発明の一態様の光源モジュール１Ｊは、前記固定部材（固定治具１５）は、透明性を有していることが好ましい。
【０２３３】
これにより、固定部材（固定治具１５）が透明性を有することによって、固定部材（固定治具１５）による輝度分布の低下をさらに抑制することができ、輝度分布の均一性の高い光源モジュール１Ｊを実現することができる。
【０２３４】
本発明の一態様の照明モジュール２０は、前記記載の光源モジュール１Ａ〜１Ｈ、１Ｊを複数隣接して配列してなることを特徴としている。
【０２３５】
本発明の光源モジュール１Ａ〜１Ｈ、１Ｊは、上述したように、光源モジュール１Ａ〜１Ｈ、１Ｊの端部における輝度の均一性が高いため、複数隣接して配列した場合に光源モジュール１Ａ〜１Ｈ、１Ｊ間の継ぎ目においても輝度の均一性が確保され、継ぎ目が目立たない大型の光源装置として利用することができる。
【０２３６】
したがって、サイドエッジ型の導光部材（導光板１０）を備えた光源モジュール１Ａ〜１Ｈ、１Ｊにおける光源（ＬＥＤ群４）の配設位置とは反対側の端部の輝度ムラを防止し、延いてはサイドエッジ型の導光部材（導光板１０）を備えた光源モジュール１Ａ〜１Ｈ、１Ｊを複数並べる場合の光源モジュール１Ａ〜１Ｈ、１Ｊ間の輝度ムラを防止し得る照明モジュール２０を提供することができる。
【０２３７】
本発明の一態様の照明機器は、前記記載の光源モジュールを複数隣接して配列してなることを特徴としている。
【０２３８】
本発明の光源モジュール１Ａ〜１Ｈ、１Ｊは、上述したように、光源モジュール１Ａ〜１Ｈ、１Ｊの端部における輝度の均一性が高いため、複数隣接して配列した場合に光源モジュール１Ａ〜１Ｈ、１Ｊ間の継ぎ目においても輝度の均一性が確保され、継ぎ目が目立たない大型の光源装置として利用することができる。
【０２３９】
したがって、サイドエッジ型の導光部材（導光板１０）を備えた光源モジュール１Ａ〜１Ｈ、１Ｊにおける光源（ＬＥＤ群４）の配設位置とは反対側の端部の輝度ムラを防止し、延いてはサイドエッジ型の導光部材（導光板１０）を備えた光源モジュール１Ａ〜１Ｈ、１Ｊを複数並べる場合の光源モジュール１Ａ〜１Ｈ、１Ｊ間の輝度ムラを防止し得る照明機器を提供することができる。
【産業上の利用可能性】
【０２４０】
本発明の光源モジュールは、光源からの光を導光板の入光面から入射し、該導光板の出射面から面状に出射させる光源モジュール、及び光源モジュールを複数備え照明モジュールに好適に適用することができる。また、本発明の光源モジュールは、薄型平面光源としてのシーリングライト等の照明機器に好適に適用することができると共に、テレビジョン受像機、及びモニター等の液晶表示装置に代表される電子機器等の照明機器に好適に適用することができる。
【符号の説明】
【０２４１】
１Ａ〜１Ｇ  光源モジュール
１Ｊ        光源モジュール
２          シャーシ（筐体）
３          ＬＥＤ基板
４          ＬＥＤ群（光源）
５          リフレクタ（反射部材）
７Ａ        拡散用カバー（カバー部材）
７Ｂ        拡散用カバー（カバー部材）
７Ｃ        拡散用カバー（カバー部材）
７ａ        カバー垂直面
７ｂ        カバー曲面（カバー部材傾斜面）
７ｃ        カバー傾斜面（カバー部材傾斜面）
７ｄ        カバー部材側部曲面
１０          導光板（導光部材）
１１          光入射側端部
１１ａ        入光面
１２          光出射面
１３          光到達側端部
１３ａ        遮光部
１３ｂ        出射部
１３ｂ１       垂直出射部
１３ｂ２       傾斜出射部（傾斜面）
１５          固定治具（固定部材）
２０          照明モジュール
【図１】
2014067688.tif 000003
【図２】
2014067688.tif 000004
【図３】
2014067688.tif 000005
【図４】
2014067688.tif 000006
【図５】
2014067688.tif 000007
【図６】
2014067688.tif 000008
【図７】
2014067688.tif 000009
【図８】
2014067688.tif 000010
【図９】
2014067688.tif 000011
【図１０】
2014067688.tif 000012
【図１１】
2014067688.tif 000013
【図１２】
2014067688.tif 000014
【図１３】
2014067688.tif 000015
【図１４】
2014067688.tif 000016
【図１５】
2014067688.tif 000017
【図１６】
2014067688.tif 000018
【図１７】
2014067688.tif 000019
【図１８】
2014067688.tif 000020
【図１９】
2014067688.tif 000021
【図２０】
2014067688.tif 000022
【図２２】
2014067688.tif 000023
【図２３】
2014067688.tif 000024
【図２５】
2014067688.tif 000025
【図２６】
2014067688.tif 000026
【図２７】
2014067688.tif 000027
【図２８】
2014067688.tif 000028
【図２１】
2014067688.tif 000029
【図２４】
2014067688.tif 000030